(57)【特許請求の範囲】
【請求項１】
複数の走査線と複数のデータ線とを交差してなり、所定期間において、前記複数の走査線のうちの一部の走査線を同時に選択する電気光学装置に対して、前記走査線への選択電圧として用いられる電位を供給する電源回路であって、
前記データ線に印加される信号電圧の中間値を基準として、正極性および負極性の選択電圧のいずれか一方を生成する電圧生成回路と、
前記電圧生成回路により生成された一方の選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を具備し、
前記電圧生成回路は、
スイッチング素子と、前記スイッチング素子がオンすると、第１および第２の入力電位の間において電力を蓄積する一方、前記スイッチング素子がオフすると、蓄積された電力を放出するインダクタとを含み、
前記インダクタから放出された電力に基づいて、前記データ線に印加される信号電圧の中間値を基準として正極性および負極性の選択電圧のいずれか一方を生成し、
前記複数の走査線のうち、所定数の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させる
ことを特徴とする電気光学装置の電源回路。
【請求項２】
前記電圧生成回路は、さらに、前記インダクタから放出された電力に基づく電圧と、目標電圧との比較結果にしたがって、前記スイッチング素子のオンまたはオフを制御する回路を備えることを特徴とする請求項１記載の電気光学装置の電源回路。
【請求項３】
前記スイッチング素子は、パルス信号に応じてオンまたはオフ制御されることを特徴とする請求項１または請求項２に記載の電気光学装置の電源回路。
【請求項４】
複数の走査線と複数のデータ線とを交差してなり、所定期間において、前記複数の走査線のうちの一部の走査線を同時に選択する電気光学装置に対して、前記走査線への選択電圧として用いられる電位を供給する電源回路であって、
前記データ線に印加される信号電圧の中間値を基準として、正極性および負極性の選択電圧のいずれか一方を生成する電圧生成回路と、
前記電圧生成回路により生成された一方の選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を具備し、
前記電圧生成回路は、パルス信号を一次側に入力するトランスを含み、前記トランスの二次側出力に基づいて、前記正極性または負極性の選択電圧のいずれか一方を生成し、
前記複数の走査線のうち、所定数の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させる
ことを特徴とする電気光学装置の電源回路。
【請求項５】
前記トランスは、一次側に印加された電圧によって機械的振動を発生する一方、該機械的振動を電圧に変換して二次側から出力する圧電トランスであることを特徴とする請求項４記載の電気光学装置の電源回路。
【請求項６】
前記電圧生成回路は、さらに、前記トランスの二次側出力に基づく電圧と目標電圧との比較結果にしたがって、前記トランスの一次側への前記パルス信号の供給を制御する回路を備えることを特徴とする請求項４記載の電気光学装置の電源回路。
【請求項７】
前記反転回路は、クロック信号に基づいて、電極が接続される先の電圧端子が切替えられる蓄電素子を有することを特徴とする請求項１乃至６のいずれかに記載の電気光学装置の電源回路。
【請求項８】
複数の走査線と複数のデータ線との各交差に対応して設けられた画素を駆動する電気光学装置の駆動回路であって、
前記データ線に供給される信号電圧の中間値を基準として、正極性および負極性の選択電圧をそれぞれ生成する電源回路と、
前記電源回路により生成された正極性および負極性の選択電圧を、所定期間において、前記複数の走査線のうちの一部の走査線に対して同時に印加する走査線駆動回路とを具備し、
前記電源回路は、
第１および第２の入力電位から、前記正極性または負極性の選択電圧のいずれか一方を生成する電圧生成回路と、
前記電圧生成回路により生成された選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記電圧生成回路は、
スイッチング素子と、前記スイッチング素子がオンすると、第１および第２の入力電位の間において電力を蓄積する一方、前記スイッチング素子がオフすると、蓄積された電力を放出するインダクタとを含み、前記インダクタから放出された電力に基づいて、前記正極性または負極性の選択電圧のいずれか一方を生成し、
前記複数の走査線のうち、所定数の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させる
ことを特徴とする電気光学装置の駆動回路。
【請求項９】
複数の走査線と複数のデータ線との各交差に対応して設けられた画素を駆動する電気光学装置の駆動回路であって、
前記データ線に供給される信号電圧の中間値を基準として、正極性および負極性の選択電圧をそれぞれ生成する電源回路と、
前記電源回路により生成された正極性および負極性の選択電圧を、所定期間において、前記複数の走査線のうちの一部の走査線に対して同時に印加する走査線駆動回路とを具備し、
前記電源回路は、
第１および第２の入力電位から、前記正極性または負極性の選択電圧のいずれか一方を生成する電圧生成回路と、
前記電圧生成回路により生成された選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記電圧生成回路は、
パルス信号を一次側に入力するトランスを含み、前記トランスの二次側出力に基づいて、前記正極性または負極性の選択電圧のいずれか一方を生成し、
前記複数の走査線のうち、所定数の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させる
ことを特徴とする電気光学装置の駆動回路。
【請求項１０】
複数の走査線と複数のデータ線との各交差に対応して設けられた画素を駆動する電気光学装置の駆動方法であって、
スイッチング素子をオンオフさせるとともに、前記スイッチング素子をオンさせた場合に、第１および第２の入力電位の間において電力をインダクタに蓄積させる一方、前記スイッチング素子をオフさせる場合に、前記インダクタに蓄積させた電力を放出させ、前記データ線に供給される信号電圧の中間値を基準として正極性および負極性の選択電圧のいずれか一方を生成し、当該選択電圧に基づいて蓄電させる第１の過程と、
前記第１の過程により蓄電させた電圧を、所定の値を基準として極性反転させ、前記正極性または負極性の選択電圧のいずれか他方として出力する第２の過程とを備え、
前記第１の過程および前記第２の過程により生成された選択電圧を、所定期間において、前記複数の走査線のうちの一部の走査線に対して同時に印加し、
前記複数の走査線のうち、所定数の走査線からなる第１の領域のみを表示状態とする一方、その他の走査線からなる第２の領域を非表示とする場合に、前記第２の領域に属する走査線が選択されたときには、前記第２の過程における極性反転を停止させる、または、その反転頻度を低下させる
ことを特徴とする電気光学装置の駆動方法。
【請求項１１】
複数の走査線と複数のデータ線との各交差に対応して設けられた画素を駆動する電気光学装置の駆動方法であって、
パルス信号をトランスの一次側に入力させるとともに、前記トランスの二次側出力に基づいて、前記データ線に供給される信号電圧の中間値を基準として正極性および負極性の選択電圧のいずれか一方を生成し、当該選択電圧に基づいて蓄電を行う第１の過程と、
前記第１の過程により蓄電された電圧を、所定の値を基準として極性反転させ、前記正極性または負極性の選択電圧のいずれか他方として出力する第２の過程とを備え、
前記第１の過程および前記第２の過程により生成された選択電圧を、所定期間において、前記複数の走査線のうちの一部の走査線に対して同時に印加し、
前記複数の走査線のうち、所定数の走査線からなる第１の領域のみを表示状態とする一方、その他の走査線からなる第２の領域を非表示とする場合に、前記第２の領域に属する走査線が選択されたときには、前記第２の過程における極性反転を停止させる、または、その反転頻度を低下させる
ことを特徴とする電気光学装置の駆動方法。
【請求項１２】
複数の走査線と複数のデータ線との各交差に対応して画素が設けられた電気光学装置であって、
前記データ線に供給される信号電圧の中間値を基準として、正極性および負極性の選択電圧をそれぞれ生成する電源回路と、
前記電源回路により生成された正極性および負極性の選択電圧を、所定期間において、前記複数の走査線のうちの一部の走査線に対して同時に印加する走査線駆動回路とを具備し、
前記電源回路は、
第１および第２の入力電位から、前記正極性または負極性の選択電圧のいずれか一方を生成する電圧生成回路と、
前記電圧生成回路により生成された選択電圧に基づいて蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記電圧生成回路は、
スイッチング素子と、前記スイッチング素子がオンすると、第１および第２の入力電位の間において電力を蓄積する一方、前記スイッチング素子がオフすると、蓄積された電力を放出するインダクタとを含み、
前記インダクタから放出された電力に基づいて、前記正極性または負極性の選択電圧のいずれか一方を生成し、
前記複数の走査線のうち、所定数の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させる
ことを特徴とする電気光学装置。
【請求項１３】
複数の走査線と複数のデータ線との各交差に対応して画素が設けられた電気光学装置であって、
前記データ線に供給される信号電圧の中間値を基準として、正極性および負極性の選択電圧をそれぞれ生成する電源回路と、
前記電源回路により生成された正極性および負極性の選択電圧を、所定期間において、前記複数の走査線のうちの一部の走査線に対して同時に印加する走査線駆動回路とを具備し、
前記電源回路は、
第１および第２の入力電位から、前記正極性または負極性の選択電圧のいずれか一方を生成する電圧生成回路と、
前記電圧生成回路により生成された選択電圧で蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記電圧生成回路は、
パルス信号を一次側に入力するトランスを含み、前記トランスの二次側出力に基づいて、前記正極性または負極性の選択電圧のいずれか一方を生成し、
前記複数の走査線のうち、所定数の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させる
ことを特徴とする電気光学装置。
【請求項１４】
複数の走査線と複数のデータ線との各交差に対応して画素が設けられ、所定期間において、前記複数の走査線のうちの一部の走査線を同時に選択する電気光学装置であって、
前記データ線に供給される信号電圧の中間値を基準として、正極性および負極性の選択電圧をそれぞれ生成する電源回路を有し、
前記電源回路は、
パルス信号に応じて駆動されるインダクタあるいはトランスを用いて、第１および第２の入力電位から前記正極性または負極性の選択電圧のいずれか一方を生成する電圧生成回路と、
前記電圧生成回路により生成された選択電圧で蓄電を行う蓄電素子と、
前記蓄電素子に蓄電された電圧を、所定の値を基準として極性反転させ、前記正極性または負極性の選択電圧のいずれか他方として出力する反転回路と、
前記データ線に印加される信号電圧と前記信号電圧の中間値とを分圧した電圧を生成する降圧回路と、
を備え、
前記複数の走査線のうち、所定数の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させることを特徴とする電気光学装置。
【請求項１５】
請求項１２乃至１４のいずれかに記載の電気光学装置を表示部に用いたことを特徴とする電子機器。
【発明の詳細な説明】
【０００１】
【発明の属する技術分野】
本発明は、実装部品数を削減した電気光学装置の電源回路、電気光学装置の駆動回路、電気光学装置の駆動方法、電気光学装置および電子機器に関する。
【０００２】
【従来の技術】
一般に、電気光学装置にあっては、駆動方式や電極構成などによって種々のタイプに分類することができるが、一方の基板に複数の走査電極（または走査線）が形成され、他方の基板に複数のデータ電極（またはデータ線）が形成され、さらに、これら両基板の間に液晶のような電気光学材料が挟持されて、両電極間の電位差に基づく電気光学変化によって表示等を行うタイプが最も簡易な構成といえる。
【０００３】
このような電気光学装置において、電気光学材料を駆動するために必要な選択電圧は、通常、約２０〜２５Ｖ程度であって、ロジック回路を動作させるための入力電圧３〜５Ｖと比較して遙かに高い。このため、電気光学装置の電源回路にチャージポンプ回路を用いるとともに、単一の電源電圧を当該チャージポンプ回路により昇圧して、選択電圧を生成する構成が一般的となっている。
【０００４】
【発明が解決しようとする課題】
しかしながら、チャージポンプ回路を用いて選択電圧を生成するためには、一般に、昇圧倍数に応じた個数のコンデンサが必要となる。上述したように、電気光学装置にあっては、入力電圧に対して出力すべき選択電圧の昇圧倍数が高いので、チャージポンプ回路においてコンデンサは多数必要となる、という欠点がある。
【０００５】
ここで、電源回路に用いるコンデンサは、その容量が大きく、一般的に半導体基板上で形成するのが困難であるので、ＩＣチップに集積化されずに外付け部品として実装されるケースがほとんどである。このため、コンデンサが多数必要になれば、装置全体のコスト高を招くだけでなく、実装工程が複雑化して生産効率が低下する、という問題を引き起こすことにもなる。
【０００６】
本発明は、上述した問題に鑑みてなされたものであり、その目的とするところは、外付け部品として実装される部品数を削減して、実装の簡略化や低コスト化などを図ることが可能な電気光学装置の電源回路、電気光学装置の駆動回路、電気光学装置の駆動方法、電気光学装置、および、この電気光学装置を用いた電子機器を提供することにある。
【０００７】
【課題を解決するための手段】
上記目的を達成するために、本件の第１発明に係る電気光学装置の電源回路は、複数の走査線と複数のデータ線とを交差してなる電気光学装置に対して、前記走査線への選択電圧として用いられる電位を供給する電源回路であって、前記データ線に印加される信号電圧の中間値を基準として、正極性および負極性の選択電圧のいずれか一方を生成する電圧生成回路と、前記電圧生成回路により生成された一方の選択電圧に基づいて蓄電を行う蓄電素子と、前記蓄電素子に蓄電された電圧を、所定の値を基準として極性反転させ、前記正極性または負極性の選択電圧のいずれか他方として出力する反転回路とを具備し、前記電圧生成回路は、スイッチング素子と、前記スイッチング素子がオンすると、第１および第２の入力電位の間において電力を蓄積する一方、前記スイッチング素子がオフすると、蓄積された電力を放出するインダクタとを含み、前記インダクタから放出された電力に基づいて、前記データ線に印加される信号電圧の中間値を基準として正極性および負極性の選択電圧のいずれか一方を生成することを特徴としている。
【０００８】
第１発明では、走査線への選択電圧のうち、正極性または負極性のいずれか一方は、電圧生成回路によって、スイッチング素子のオフ時にインダクタから放出される電力に基づいて生成される。このため、一方の選択電圧を、第１および第２の入力電位の電位差よりも大きな電位とすることが比較的容易である。さらに、第１発明では、他方の選択電圧は、反転回路によって、電圧生成回路による一方の選択電圧を蓄電した後に極性反転することによって生成される。このため、第１発明では、従来の構成と比較すると、消費電力を大きくすることなく、構成部品、特に、半導体基板への構成が困難であるために外付け部品として実装される蓄電素子等の部品が削減される。したがって、第１発明によれば、実装の簡略化や低コスト化などが図られることとなる。なお、本発明における蓄電素子としては、充放電可能な二次電池等も適用可能であるが、部品の小型化等を考慮すると、コンデンサが適当であると考えられる。
【０００９】
次に、第１発明において、前記電圧生成回路は、さらに、前記インダクタから放出された電力に基づく電圧と、目標電圧との比較結果にしたがって、前記スイッチング素子のオン・オフを制御する回路を備えることが望ましい。このような構成によれば、出力電圧の帰還によりスイッチング素子のオンオフが制御されるので、選択電圧のいずれか一方とともに、これを極性反転させた他方の選択電圧の双方を負荷等によらず安定化させることが可能となる。
【００１０】
なお、前記スイッチング素子は、パルス信号に応じてオン・オフ制御されることが望ましく、パルス幅やパルス間隔を制御することによって発生する電力を調整することができる。
【００１１】
また、上記目的を達成するために、本件第２発明に係る電気光学装置の電源回路は、複数の走査線と複数のデータ線とを交差してなる電気光学装置に対して、前記走査線への選択電圧として用いられる電位を供給する電源回路であって、前記データ線に印加される信号電圧の中間値を基準として、正極性および負極性の選択電圧のいずれか一方を生成する電圧生成回路と、前記電圧生成回路により生成された一方の選択電圧に基づいて蓄電を行う蓄電素子と、前記蓄電素子に蓄電された電圧を、所定の値を基準として極性反転させ、前記正極性または負極性の選択電圧のいずれか他方として出力する反転回路とを具備し、前記電圧生成回路は、パルス信号を一次側に入力するトランスを含み、前記トランスの二次側出力に基づいて、前記正極性または負極性の選択電圧のいずれか一方を生成することを特徴としている。
【００１２】
第２発明では、走査線への選択電圧のうち、正極性または負極性のいずれか一方は、電圧生成回路におけるトランスによって昇圧された信号に基づいて生成される。このため、電圧の高い一方の選択電圧を、比較的容易に生成することができる。さらに、上記第１発明と比較して、スイッチング素子のオンオフによる電力の消費が抑えられるので、低消費電力化を図ることも可能となる。また、第２発明では、他方の選択電圧は、反転回路によって、電圧生成回路による一方の選択電圧を蓄電した後に極性反転することによって生成されるので、構成部品、特に、半導体基板への構成が困難であるために外付け部品として実装される蓄電素子等の部品が削減される点は第１発明と同様である。したがって、第２発明によっても、実装の簡略化や低コスト化などが図られることとなる。
【００１３】
ここで、第２発明において、前記トランスは、一次側に印加された電圧によって機械的振動を発生する一方、該機械的振動を電圧に変換して二次側から出力する圧電トランスであることが望ましい。このように、トランスとして圧電トランスを用いると、小型化に寄与するとともに、機械的振動の共振周波数を、機械的な固有振動周波数に近づけることで、電圧変換効率を向上させることもできる。
【００１４】
また、第２発明における電圧生成回路は、さらに、前記トランスの二次側出力に基づく電圧と目標電圧との比較結果にしたがって、前記トランスの一次側への前記パルス信号の供給を制御する回路を備える構成が望ましい。このような構成によれば、出力電圧の帰還によりパルス信号が制御されるので、選択電圧のいずれか一方と、これを極性反転させた他方の選択電圧との双方を負荷等によらず安定化させることが可能となる。また、パルス信号のパルス幅やパルス間隔を制御することによって発生する電力を調整することができる。
【００１５】
さて、上記第１および第２発明において、前記反転回路は、クロック信号に基づいて、電極が接続される先の電圧端子が切替えられる蓄電素子を有することが望ましい。この構成によれば、効率良く蓄電・放電が行われることとなる。
【００１６】
また、上記第１および第２発明において、前記複数の走査線のうち、一部の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させることが望ましい。この構成によれば、表示を行わない場合の走査線が選択されたときには、反転回路による極性反転が禁止され、または、その反転頻度が低下するので、その分、電力が無駄に消費されるのが防止されることとなる。
【００１７】
さて、上記目的を達成するために、本発明は、複数の走査線と複数のデータ線との各交差に対応して設けられた画素を駆動する電気光学装置の駆動回路であって、前記データ線に供給される信号電圧の中間値を基準として、正極性および負極性の選択電圧をそれぞれ生成する電源回路と、前記電源回路により生成された正極性および負極性の選択電圧を、前記走査線の各々に対して所定の順番で印加する走査線駆動回路とを具備し、前記電源回路は、第１および第２の入力電位から、前記正極性または負極性の選択電圧のいずれか一方を生成する電圧生成回路と、前記電圧生成回路により生成された選択電圧に基づいて蓄電を行う蓄電素子と、前記蓄電素子に蓄電された電圧を、所定の値を基準として極性反転させ、前記正極性または負極性の選択電圧のいずれか他方として出力する反転回路とを備え、前記電圧生成回路は、スイッチング素子と、前記スイッチング素子がオンすると、第１および第２の入力電位の間において電力を蓄積する一方、前記スイッチング素子がオフすると、蓄積された電力を放出するインダクタとを含み、前記インダクタから放出された電力に基づいて、前記正極性または負極性の選択電圧のいずれか一方を生成することを特徴としている。この構成によれば、上記第１発明と同様な理由により、蓄電素子などの部品数が削減されるので、実装の簡略化や低コスト化などが図ることが可能となる。
【００１８】
また、上記目的を達成するために、本発明は、複数の走査線と複数のデータ線との各交差に対応して設けられた画素を駆動する電気光学装置の駆動回路であって、前記データ線に供給される信号電圧の中間値を基準として、正極性および負極性の選択電圧をそれぞれ生成する電源回路と、前記電源回路により生成された正極性および負極性の選択電圧を、前記走査線の各々に対して所定の順番で印加する走査線駆動回路とを具備し、前記電源回路は、第１および第２の入力電位から、前記正極性または負極性の選択電圧のいずれか一方を生成する電圧生成回路と、前記電圧生成回路により生成された選択電圧に基づいて蓄電を行う蓄電素子と、前記蓄電素子に蓄電された電圧を、所定の値を基準として極性反転させ、前記正極性または負極性の選択電圧のいずれか他方として出力する反転回路とを備え、前記電圧生成回路は、パルス信号を一次側に入力するトランスを含み、前記トランスの二次側出力に基づいて、前記正極性または負極性の選択電圧のいずれか一方を生成することを特徴としている。この構成によれば、上記第２発明と同様な理由により、蓄電素子などの部品数が削減されるので、実装の簡略化や低コスト化などが図ることが可能となる。
【００１９】
一方、上記目的を達成するために、本発明は、複数の走査線と複数のデータ線との各交差に対応して設けられた画素を駆動する電気光学装置の駆動方法であって、スイッチング素子をオンオフさせるとともに、前記スイッチング素子をオンさせた場合に、第１および第２の入力電位の間において電力をインダクタに蓄積させる一方、前記スイッチング素子をオフさせる場合に、前記インダクタに蓄積させた電力を放出させ、前記データ線に供給される信号電圧の中間値を基準として正極性および負極性の選択電圧のいずれか一方を生成し、当該選択電圧に基づいて蓄電させる第１の過程と、前記第１の過程により蓄電させた電圧を、所定の値を基準として極性反転させ、前記正極性または負極性の選択電圧のいずれか他方として出力する第２の過程とを備え、
前記第１の過程および前記第２の過程により生成された選択電圧を、前記走査線の各々に対して所定の順番で印加することを特徴としている。この方法によっても、上記第１発明と同様な理由により、蓄電素子などの部品数が削減されるので、実装の簡略化や低コスト化などを図ることが可能となる。
【００２０】
また、上記目的を達成するために、本発明は、複数の走査線と複数のデータ線との各交差に対応して設けられた画素を駆動する電気光学装置の駆動方法であって、パルス信号をトランスの一次側に入力させるとともに、前記トランスの二次側出力に基づいて、前記データ線に供給される信号電圧の中間値を基準として正極性および負極性の選択電圧のいずれか一方を生成し、当該選択電圧に基づいて蓄電を行う第１の過程と、前記第１の過程により蓄電された電圧を、所定の値を基準として極性反転させ、前記正極性または負極性の選択電圧のいずれか他方として出力する第２の過程とを備え、前記第１の過程および前記第２の過程により生成された選択電圧を、前記走査線の各々に対して所定の順番で印加することを特徴としている。この方法によっても、上記第２発明と同様な理由により、蓄電素子などの部品数が削減されるので、実装の簡略化や低コスト化などを図ることが可能となる。
【００２１】
くわえて、上記目的を達成するために、本発明は、複数の走査線と複数のデータ線との各交差に対応して画素が設けられた電気光学装置であって、前記データ線に供給される信号電圧の中間値を基準として、正極性および負極性の選択電圧をそれぞれ生成する電源回路と、前記電源回路により生成された正極性および負極性の選択電圧を、前記走査線の各々に対して所定の順番で印加する走査線駆動回路とを具備し、前記電源回路は、第１および第２の入力電位から、前記正極性または負極性の選択電圧のいずれか一方を生成する電圧生成回路と、前記電圧生成回路により生成された選択電圧に基づいて蓄電を行う蓄電素子と、前記蓄電素子に蓄電された電圧を、所定の値を基準として極性反転させ、前記正極性または負極性の選択電圧のいずれか他方として出力する反転回路とを備え、前記電圧生成回路は、スイッチング素子と、前記スイッチング素子がオンすると、第１および第２の入力電位の間において電力を蓄積する一方、前記スイッチング素子がオフすると、蓄積された電力を放出するインダクタとを含み、前記インダクタから放出された電力に基づいて、前記正極性または負極性の選択電圧のいずれか一方を生成することを特徴としている。この構成によっても、上記第１発明と同様な理由により、蓄電素子などの部品数が削減されるので、実装の簡略化や低コスト化などを図ることが可能となる。
【００２２】
また、上記目的を達成するために、本発明は、複数の走査線と複数のデータ線との各交差に対応して画素が設けられた電気光学装置であって、前記データ線に供給される信号電圧の中間値を基準として、正極性および負極性の選択電圧をそれぞれ生成する電源回路と、前記電源回路により生成された正極性および負極性の選択電圧を、前記走査線の各々に対して所定の順番で印加する走査線駆動回路とを具備し、前記電源回路は、第１および第２の入力電位から、前記正極性または負極性の選択電圧のいずれか一方を生成する電圧生成回路と、前記電圧生成回路により生成された選択電圧で蓄電を行う蓄電素子と、前記蓄電  素子に蓄電された電圧を、所定の値を基準として極性反転させ、前記正極性または負極性の選択電圧のいずれか他方として出力する反転回路とを備え、前記電圧生成回路は、パルス信号を一次側に入力するトランスを含み、前記トランスの二次側出力に基づいて、前記正極性または負極性の選択電圧のいずれか一方を生成することを特徴としている。この構成によっても、上記第２発明と同様な理由により、蓄電素子などの部品数が削減されるので、実装の簡略化や低コスト化などを図ることが可能となる。
【００２３】
また、本発明の電気光学装置は、複数の走査線と複数のデータ線との各交差に対応して画素が設けられた電気光学装置であって、前記データ線に供給される信号電圧の中間値を基準として、正極性および負極性の選択電圧をそれぞれ生成する電源回路を有し、前記電源回路は、パルス信号に応じて駆動されるインダクタあるいはトランスを用いて、第１および第２の入力電位から前記正極性または負極性の選択電圧のいずれか一方を生成する電圧生成回路と、前記電圧生成回路により生成された選択電圧で蓄電を行う蓄電素子と、前記蓄電素子に蓄電された電圧を、所定の値を基準として極性反転させ、前記正極性または負極性の選択電圧のいずれか他方として出力する反転回路とを備え、前記複数の走査線のうち、一部の走査線からなる第１の領域のみを表示状態とする一方、その他の走査線からなる第２の領域を非表示とする場合に、前記第２の領域に属する走査線が選択されたときには、前記反転回路による極性反転を停止させる、または、その反転頻度を低下させることを特徴としている。この構成によっても、上記と同様な理由により、蓄電素子などの部品数が削減されるので、実装の簡略化や低コスト化などを図ることが可能となる。さらに、この構成によれば、表示を行わない場合の走査線が選択されたときには、反転回路による極性反転が禁止され、または、その反転頻度が低下するので、その分、電力が無駄に消費されるのが防止されることとなる。
【００２４】
さらに、上記目的を達成するために本発明に係る電子機器は、上記電気光学装置を表示部に用いることを特徴としている。したがって、この電子機器によれば、外付け部品数が削減されるので、実装の簡略化や低コスト化などが図られることとなる。
【００２５】
なお、本発明において、上記したインダクタや圧電トランスは、液晶パネルの基板上、または液晶パネルの基板に一端側端子が接続されたフレキシブル基板上、あるいはこのフレキシブル基板の他方側端子に接続されたプリント基板上に配置される。従来は、この基板上に電源回路のコンデンサが多数個実装されていたが、本発明により、基板上に実装する部品点数は大幅に削減され、装置を小型化することができる。
【００２６】
【発明の実施の形態】
以下、本発明の実施の形態について図面を参照して説明する。
【００２７】
＜第１実施形態＞
まず、本発明の実施形態に係る電源回路を説明する前に、この電源回路が適用される電気光学装置について説明する。図１は、この電気光学装置の電気的な構成を示すブロック図である。
【００２８】
この図に示されるように、パネル１００には、複数本のデータ線（セグメント電極）２１２が列（Ｙ）方向に延在して形成される一方、複数本の走査線（コモン電極）３１２が行（Ｘ）方向に延在して形成されるとともに、データ線２１２と走査線３１２との各交点に対応して画素１１６が形成されている。さらに、各画素１１６は、電気光学材料（液晶層）１１８と、二端子型スイッチング素子の一例である薄膜ダイオード（Thin Film Diode：以下、単にＴＦＤと称する）２２０との直列接続からなる。なお、説明の便宜上、走査線３１２の総数を２４０本とし、データ線２１２の総数を３２０本として、２４０行×３２０列のマトリクス型表示装置として説明するが、これに限定する趣旨ではない。
【００２９】
次に、パネル１００の構造について簡単に説明する。図２は、その構造を示す部分破断斜視図である。この図に示されるように、パネル１００は、素子基板２００と、これに対向配置される対向基板３００とを備えている。このうち、素子基板２００の対向面には、ＩＴＯ（Indium Tin Oxide）などの透明導電体、あるいは、Ａｌ合金、Ａｇ合金などの反射性の金属からなる画素電極２３４がＸ方向およびＹ方向にマトリクス状に配列しており、このうち、同一列に配列する２４０個の画素電極２３４が、Ｙ方向に延在するデータ線２１２の１本に、それぞれＴＦＤ２２０を介して接続されている。ここで、ＴＦＤ２２０は、基板側からみると、タンタル単体やタンタル合金などから形成され、データ線２１２とは枝分かれした第１の導電体２２２と、この第１の導電体２２２を陽極酸化してなる絶縁体２２４と、クロム等などの第２の導電体２２６とから構成されて、導電体／絶縁体／導電体のサンドイッチ構造を採る。このため、ＴＦＤ２２０は、電流−電圧特性が正負双方向にわたって非線形となるダイオードスイッチング特性を有することになる。
【００３０】
一方、対向基板３００の対向面には、走査線３１２がＸ方向に延在し、かつ、画素電極２３４と対向するように形成されている。そして、このように構成された素子基板２００と対向基板３００とは、シール材およびスペーサ（ともに図示省略）によって、一定の間隙を保っており、この閉空間に、電気光学材料として例えばＴＮ（Twisted Nematic）型や、強誘電型などの双安定型、高分子分散型、ねじれの無い垂直配向型、水平配向型などの液晶１０５が封入されて、これにより、図１における液晶層１１８が形成されることとなる。すなわち、液晶層１１８は、データ線２１２と走査線３１２との交点において、電極たる走査線３１２と、画素電極２３４と、両者の電極間に挟持される液晶１０５とで構成されることになる。
【００３１】
さて、説明を再び図１に戻すと、走査線駆動回路３５０は、各走査線３１２毎に、電源回路４００により生成された電圧を所定の順番で選択して走査信号Ｙ１〜Ｙ２４０を供給するものである。また、データ線駆動回路２５０は、選択された走査線３１２と交差する画素の表示内容と、当該走査線３１２に印加される選択電圧の極性とに応じて、各データ線２１２毎に、電源回路４００により生成された電圧を選択してデータ信号Ｘ１〜Ｘ３２０を供給するものである。
【００３２】
ここで、図１において上から数えてｊ（ｊは、１≦ｊ≦２４０を満たす整数）番目の走査線３１２に印加される走査信号Ｙｊと、図１において左から数えてｉ（ｉは、１≦ｉ≦３２０を満たす整数）番目のデータ線２１２に印加されるデータ信号Ｘｉとの波形例を図３に示す。
【００３３】
この図において、電圧ＶＳＰ、ＶＳＮはそれぞれ選択電圧であり、電圧ＶＨＰ、ＶＨＮはそれぞれ非選択電圧である。また、非選択電圧ＶＨＰ、ＶＨＮは、データ信号の高電位側、低電位側電圧としてもそれぞれ共用されている。そして、選択電圧ＶＳＰ、ＶＳＮは、データ信号の高電位側、低電位側電圧の中間電圧ＶＣを基準にして対称となっている。このようにデータ信号の中間電圧ＶＣを基準として、選択電圧ＶＳＰ、ＶＳＮに対称性を持たせるのは、液晶層１１８を交流駆動するための前提である。なお、ＴＦＤ２２０において、印加電圧の極性に対する電流−電圧特性の非対称性があって、それを補償するために、データ信号の中間電圧ＶＣに対して、選択電圧ＶＳＰ、ＶＳＮを非対称にする場合もあるが、極性については、以下、中間電圧ＶＣを基準に規定して、高電位側となる電圧を正極性、低電位側となる電圧を負極性と呼ぶこととする。
【００３４】
さて、走査信号Ｙｊは、図３に示されるように、第１に、当該走査線３１２が選択される１水平走査期間（１Ｈ）を２分割した後半期間（１／２Ｈ）において、選択電圧ＶＳＰとなり、この後、第２に、非選択電圧ＶＨＰとなり、第３に、選択電圧ＶＳＰが印加されてから１垂直走査期間（１Ｆ）経過して、当該走査線３１２が再び選択されると、その水平走査期間の後半期間（１／２Ｈ）において、今度は、選択電圧ＶＳＮとなり、この後、第４に、非選択電圧ＶＨＮとなる、というサイクルの繰り返し信号である。なお、このような走査信号は、すべての走査線３１２に対して、１垂直走査期間（１Ｆ）において、走査線３１２が１本ずつ１水平走査期間（１Ｈ）順次シフトして選択される関係となる。
【００３５】
また、データ信号Ｘｉは、走査信号Ｙｊに対応して、次の通りとなる。すなわち、ｉ番目のデータ線２１２とｊ番目の走査線３１２との交点位置に対応する画素１１６の表示内容がオン表示（ノーマリーホワイトモードにおける黒表示またはノーマリーブラックモードにおける白表示）である場合であって、かつ、ｊ番目の走査線３１２が選択される水平走査期間の後半期間に、当該走査線３１２に印加される選択電圧が正極性である場合、データ信号Ｘｉは、図３（ａ）に示されるように、当該水平走査期間（１Ｈ）の前半期間においては高電位側の電圧ＶＨＰとなり、その後半期間においては、印加される選択電圧とは逆極性の低電位側の電圧ＶＨＮとなる一方、同表示を行う場合であって、かつ、ｊ番目の走査線３１２が選択される水平走査期間の後半期間に、当該走査線３１２に印加される選択電圧が負極性である場合、データ信号Ｘｉは、同図に示されるように、当該水平走査期間（１Ｈ）の前半期間においては低電位側の電圧ＶＨＮとなり、その後半期間においては、印加される選択電圧とは逆極性の高電位側の電圧ＶＨＰとなる。
【００３６】
また、ｉ番目のデータ線２１２とｊ番目の走査線３１２との交点位置に対応する画素の表示内容がオフ表示（ノーマリーホワイトモードにおける白表示またはノーマリーブラックモードにおける黒表示）である場合であって、かつ、ｊ番目の走査線３１２が選択される水平走査期間の後半期間に、当該走査線３１２に印加される選択電圧が正極性である場合、データ信号Ｘｉは、図３（ｃ）に示されるように、当該水平走査期間（１Ｈ）の前半期間においては低電位側の電圧ＶＨＮとなり、その後半期間においては、印加される選択電圧とは同極性の高電位側の電圧ＶＨＰとなる一方、同表示を行う場合であって、かつ、ｊ番目の走査線３１２が選択される水平走査期間の後半期間に、当該走査線３１２に印加される選択電圧が負極性である場合、データ信号Ｘｉは、同図に示されるように、当該水平走査期間（１Ｈ）の前半期間において高電位側の電圧ＶＨＰとなり、その後半期間においては、印加される選択電圧とは同極性の低電位側の電圧ＶＨＮとなる。
【００３７】
なお、パルス幅変調によって、両者の中間表示を行う場合には、同図（ｂ）に示されるような波形となる。また、同図において、破線領域は、ｉ番目の走査線３１２以外の走査線３１２と交差する画素の表示内容、および、その選択期間の後半期間において印加される走査信号の極性に依存して、データ信号Ｘｉの電圧が定められることを意味する。
【００３８】
このように走査信号Ｙｊに対し、選択電圧を、１水平走査期間ではなく、半分の１／２の水平走査期間（１／２Ｈ）で印加するとともに、この２つの期間に分けてデータ信号Ｘｉを印加すると、１水平走査期間（１Ｈ）において、データ信号Ｘｉが高電位側電圧ＶＨＰと低電位側電圧ＶＨＮとなる期間が半分ずつとなる。このため、非選択期間において、ＴＦＤ２２０には、表示内容によらず一定の電圧が印加される結果、非選択期間でのＴＦＤ２２０でのオフリーク量が一定となるので、いわゆるクロストークの発生が防止されることとなる。
【００３９】
なお、図１および図２において、走査線とデータ線とを入れ替えて構成するこもでき、その場合は図２における符号３１２がデータ線、符号２１２が走査線となり、その結果、図１における液晶層１１８とＴＦＤ２２０の接続関係が入れ替わることになるが、これでも駆動上は問題無い。
【００４０】
さて、本発明は、駆動波形自体を問題とするものではないので、これ以上の言及は避けることとするが、ここで、明示する必要があるのは、走査線駆動回路３５０は、電源回路４００により生成された電圧を用いて、各走査線３１２に走査信号Ｙ１〜Ｙ２４０をそれぞれ供給する一方、データ線駆動回路２５０は、同じく電源回路４００により生成された電圧を用いて、各データ線２１２にデータ信号Ｘ１〜Ｘ３２０をそれぞれ供給する点にある。また、電気光学装置として考えた場合、制御信号やクロック信号等を供給して、走査線駆動回路３５０やデータ線駆動回路２５０を制御する構成も必要であるが、このような構成についても本発明とは直接関係しないので、図１においては省略することする。
【００４１】
＜電源回路＞
次に、本発明の第１の実施形態に係る電源回路であって、上述した電気光学装置に適用される電源回路について説明する。図４は、この電源回路４００の概略構成を示すブロック図である。この電源回路４００は、単一電源４１０によるＶｃｃ−ＧＮＤから選択電圧ＶＳＰ、ＶＳＮを生成するとともに、電圧Ｖｃｃおよび接地電位ＧＮＤを、そのまま非選択電圧ＶＨＰ、ＶＨＮとして供給するものである。
【００４２】
なお、上述したように、非選択電圧ＶＨＰ、ＶＨＮは、それぞれデータ信号の高電位側、低電位側電圧としても共用される。このため、極性の基準となる中間電圧ＶＣは、電圧Ｖｃｃ（ＶＨＰ）と接地電位ＧＮＤ（ＶＨＮ）との中間値となるのでＶｃｃ／２となるが、本実施形態では、この電圧を実際に生成することはなく、あくまでも仮想的な電圧を意味する。
【００４３】
さて、図４において、電圧生成回路４２０は、電圧Ｖｃｃ（第１の入力電位）と接地電位ＧＮＤ（第２の入力電位）との電位差を用い、正極性の選択電圧ＶＳＰを生成して、供給線ｐ１を介して出力するものである。次に、反転回路４３０は、互いに連動するスイッチＳＷ１、ＳＷ２とを備えて、次のように構成されている。すなわち、スイッチＳＷ１の選択端子ａは、正極性の選択電圧ＶＳＰの供給線ｐ１に接続され、同選択端子ｂは電圧Ｖｃｃの供給線に接続され、さらに、同被選択端子ｃはコンデンサＣｐの一方の端子に接続されている。また、スイッチＳＷ２の選択端子ａは電位ＧＮＤに接地され、同選択端子ｂは供給線ｎ１に接続され、さらに、同被選択端子ｃはコンデンサＣｐの他方の端子に接続されている。このようなスイッチは、単一又は複数のトランジスタ等のスイッチング素子により構成される。
【００４４】
また、発振回路４４０は、電圧生成回路４２０に対して、後述するクロック信号ＣＫ１（またはＣＫ２）を供給するとともに、反転回路４３０に対し、スイッチＳＷ１、ＳＷ２のスイッチングを制御するための信号／Ａ、Ｂを供給するものである。なお、以下の説明において、信号に付される「／」は、反転信号を意味する。
【００４５】
くわえて、接地電位ＧＮＤと供給線ｎ１との間においては、コンデンサＣｂ２が介挿されている。
【００４６】
このような構成の電源回路４００では、まず、電圧生成回路４２０が、正極性の選択電圧ＶＳＰを生成して出力する。この際、反転回路４３０では、発振回路４４０の信号／Ａ、Ｂによって、スイッチＳＷ１、ＳＷ２の端子ａ、ｂがそれぞれ交互に切り替えられる。ここで、スイッチＳＷ１、ＳＷ２の端子ａがそれぞれ選択されていると、コンデンサＣｐは、図５において▲１▼で示されるように、選択電圧ＶＳＰを高電位側とし、接地電位ＧＮＤを低電位側として接続されて充電される。
【００４７】
次に、スイッチＳＷ１、ＳＷ２の端子ｂがそれぞれ選択されると、コンデンサＣｐにおける高電位側が電圧Ｖｃｃになるので、図５において▲２▼で示されるように、低電位側の電位は、端子ａの選択時における接地電位ＧＮＤから、高電位側の変動分（ＶＳＰ−Ｖｃｃ）だけ引き下げられる。したがって、コンデンサＣｐの低電位側に接続された供給線ｎ１の電位は、中間電圧ＶＣを基準にして正極性の選択電圧ＶＳＰを反転させた電圧、すなわち、負極性の選択電圧ＶＳＮとなる。
【００４８】
そして、再び、スイッチＳＷ１、ＳＷ２の端子ａがそれぞれ選択されて、コンデンサＣｐが、選択電圧ＶＳＰを高電位側とし、接地電位ＧＮＤを低電位側として接続されて充電され、以後、同様な動作が繰り返し実行されることとなる。
【００４９】
なお、スイッチＳＷ１、ＳＷ２の端子ａがそれぞれ選択されている期間においても、供給線ｎ１の電位は、コンデンサＣｂ２によって負極性の選択電圧ＶＳＮに保持されることとなる。
【００５０】
次に、電源回路４００における各部の詳細について説明することとする。
【００５１】
＜電圧生成回路＞
まず、電圧生成回路４２０について説明する。なお、実施形態に係る電源回路４００に適用可能な電圧生成回路４２０としては、種々のものが考えられるが、ここでは、電気光学装置に適用する際に適当なものとして想定される２つの態様を挙げて説明することとする。
【００５２】
＜電圧生成回路：その１＞
そこでまず、電圧生成回路４２０の第１の態様について説明する。図６は、この第１の態様に係る電圧生成回路の構成を示す回路図である。この図に示される電圧生成回路４２０は、インダクタ（コイル）Ｌを用いて、電圧Ｖｃｃを昇圧するスイッチング・レギュレータである。
【００５３】
図６において、ラッチ回路４２２は、発振回路４４０から供給されるクロック信号ＣＫ１の立ち上がりにおいて、入力端Ｄに供給される信号Ｖｃｐをラッチし、出力端Ｑから信号Ｖｒｃｐとして出力するものである。論理積（ＡＮＤ）回路４２４は、信号Ｖｒｃｐとクロック信号ＣＫ１との論理積たるパルス信号Ｖｇを出力するものである。このため、ＡＮＤ回路４２４は、ラッチ回路４２２による信号Ｖｒｃｐにしたがって、クロック信号ＣＫ１を出力することになる。ここで、クロック信号ＣＫ１は、例えば、図７に示されるように、パルス幅が０．５μｓ程度であって、周波数が数百ｋＨｚ程度のパルス信号である。
【００５４】
次に、ＡＮＤ回路４２４から出力されるパルス信号Ｖｇは、本発明におけるスイッチの一態様たるＮチャネル型トランジスタ４２６のゲートに供給されている。ここで、トランジスタ４２６のソースは電位ＧＮＤに接地される一方、そのドレインは、一端が電圧Ｖｃｃの供給線に接続されたインダクタＬの他端に接続されている。さらに、インダクタＬの他端は、ダイオードＤ１を介し、一端が電位ＧＮＤに接地されたコンデンサＣｂ１の他端ＯＵＴに接続されて、この他端ＯＵＴに現れる電圧が、正極性の選択電圧ＶＳＰとして出力される構成となっている。
【００５５】
さて、コンデンサＣｂ１の他端ＯＵＴは、抵抗Ｒ１、Ｒ２を介して電位ＧＮＤに接地されている。ここで、説明の便宜上、抵抗Ｒ１、Ｒ２の接続点における電圧、すなわち、選択電圧ＶＳＰを抵抗Ｒ１、Ｒ２によって分圧した電圧をＶＳＰ’とすると、この電圧ＶＳＰ’は、コンパレータ４２８の負入力端に供給されている。一方、コンパレータ４２８の正入力端には、基準電圧Ｖｒｅｆが供給されている。このため、コンパレータ４２８の出力信号Ｖｃｐは、電圧ＶＳＰ’が基準電圧Ｖｒｅｆを下回るとＨレベルになる一方、電圧ＶＳＰ’が基準電圧Ｖｒｅｆを上回るとＬレベルになる。そして、この出力信号Ｖｃｐがラッチ回路４２２の入力端Ｄに帰還されている。なお、基準電圧Ｖｒｅｆは、後述するように固定的でなく、温度等の環境や設定などに応じて可変される電圧である。
【００５６】
次に、電圧生成回路４２０の動作について説明する。まず、スイッチング素子であるトランジスタ４２６がオンすると、インダクタＬには、電圧Ｖｃｃから接地方向にオン電流ｉｏｎが流れるので、エネルギーが蓄積されることとなる。一方、トランジスタ４２６がオフすると、オフ電流ｉｏｆｆが流れるので、トランジスタ４２６のオン期間に蓄積されたエネルギーは、ダイオードＤ１の順方向を介し、かつ、電圧Ｖｃｃに対して直列に加算されてコンデンサＣｂ１に移動することとなる。また、インダクタＬに蓄積されたエネルギ−が全てコンデンサＣｂ１に移動すると、ダイオードＤ１は逆バイアスとなるので、コンデンサＣｂ１の他端ＯＵＴに現れる選択電圧ＶＳＰが電圧Ｖｃｃ側に逆流しない。このため、選択電圧ＶＳＰは、トランジスタ４２６のオンオフ毎に、上昇することとなる。
【００５７】
しかし、実際には、コンデンサＣｂ１の充電電圧は、液晶表示装置の走査線等の抵抗や容量からなる負荷への放電にしたがって減衰する。ここで、選択電圧ＶＳＰが低下し、これを抵抗Ｒ１、Ｒ２で分圧した電圧ＶＳＰ’が、図７に示されるように、基準電圧Ｖｒｅｆよりも下回った場合、コンパレータ４２８の出力信号Ｖｃｐは、Ｈレベルに遷移する。これに伴って、ラッチ回路４２２による信号Ｖｒｃｐは、信号ＶｃｐがＨレベルに遷移した直後のクロック信号ＣＫ１の立ち上がりにおいてＨレベルに遷移するので、ＡＮＤ回路４２４が開く。このため、クロック信号ＣＫ１がＡＮＤ回路４２４から出力されるパルス信号Ｖｇとして出力される。したがって、電圧ＶＳＰ’が基準電圧Ｖｒｅｆよりも下回ると、トランジスタ４２６が少なくとも１回以上オンオフするので、選択電圧ＶＳＰが上昇することとなる。すなわち、電圧ＶＳＰ’が基準電圧Ｖｒｅｆよりも下回った場合には、選択電圧ＶＳＰを上昇させる方向への制御が人為的に行われることとなる。
【００５８】
一方、選択電圧ＶＳＰが高くなって、電圧ＶＳＰ’が基準電圧Ｖｒｅｆよりも上回った場合、コンパレータ４２８の出力信号Ｖｃｐは、Ｌレベルに遷移する。これに伴って、信号Ｖｒｃｐは、信号ＶｃｐがＬレベルに遷移した直後のクロック信号ＣＫ１の立ち上がりにおいてＬレベルに遷移するので、ＡＮＤ回路４２４が閉じる。このため、クロック信号ＣＫ１がトランジスタ４２６のゲートに供給されないので、選択電圧ＶＳＰは、コンデンサＣｂ１の放電によって徐々に低下することとなる。すなわち、電圧ＶＳＰ’が基準電圧Ｖｒｅｆよりも上回った場合には、選択電圧ＶＳＰを低下させる方向への制御が自然発生的に行われることとなる。
【００５９】
したがって、全体でみれば、電圧ＶＳＰ’は、両方向への制御が均衡する地点、すなわち、基準電圧Ｖｒｅｆ付近で安定化することとなる。ここで、電圧ＶＳＰ’は、選択電圧ＶＳＰを抵抗Ｒ１、Ｒ２によって分圧した電圧であるから、ＶＳＰ’＝ＶＳＰ・Ｒ２／（Ｒ１＋Ｒ２）が成立し、これが基準電圧Ｖｒｅｆで安定化するので、結局、この電源回路４２０によって生成される正極性の選択電圧ＶＳＰは、Ｖｒｅｆ（Ｒ１＋Ｒ２）／Ｒ２で安定化することになる。
【００６０】
なお、ＶＳＰを安定化させるためには、抵抗Ｒ１、Ｒ２の抵抗値を高くしておく必要があり、半導体ＩＣ内に形成される多結晶シリコン配線層を抵抗に用いることによって実現することができる。また、図７において電圧ＶＳＰ’の縦スケールは、説明のために他の信号と比較して拡大してある。逆に言えば、コンパレータ４２８は、電圧Ｖｃｃを電源として動作するために、その入力である電圧ＶＳＰ’および基準電圧Ｖｒｅｆも、実際には、ＧＮＤ以上かつＶｃｃ以下となるように設定されている。
【００６１】
＜電圧生成回路：その２＞
次に、電圧生成回路４２０の第２の態様について説明する。図８は、この第２態様に係る電圧生成回路の構成を示す回路図である。この図に示される電圧生成回路４２０は、圧電トランス４２７を用いて、電圧Ｖｃｃを昇圧するタイプである。このため、図６におけるトランジスタ４２６およびインダクタＬが、圧電トランス４２７に置換されるとともに、この二次側出力のうち、電位ＧＮＤ以上の部分が、ダイオードＤ３、Ｄ４によって半波整流されて、コンデンサＣｂ１に充電される構成となっている。また、圧電トランス４２７を用いたこととの関係上、第１の態様におけるクロック信号ＣＫ１が用いられずに、クロック信号ＣＫ２が、詳細には、図９に示されるように、デューティ比が約５０％であって、周波数が百ｋＨｚ程度のパルス信号が替わりに用いられる。なお、他の部分ついては、図６に示された第１態様と同様であるので、その説明を省略することとする。
【００６２】
さて、圧電トランス４２７は、一次側電極および二次側電極でそれぞれ誘電体を挟持するものであり、一次側では、印加されるパルス信号Ｖｇによって誘電体が伸長・圧縮し、これにより機械的な振動が発生する一方、二次側では、該振動により誘電分極が生じて、これにより昇圧された電圧が二次側出力として取り出される構成となっている。なお、圧電トランス４２７における共通電極は接地ＧＮＤに接続されている。
【００６３】
ここで、クロック信号ＣＫ２のデューティ比を約５０％とするのは、圧電トランス４２７を用いて昇圧する関係上、対称性を有する波形が変換効率の面において有効であるからである。また、クロック信号ＣＫ２の周波数を百ｋＨｚ程度とするのは、圧電トランス４２７における誘電体の固有周波数が、百ｋＨｚ程度であるからである。すなわち、クロック信号ＣＫ２の周波数を、圧電トランス４２７における誘電体の固有周波数近傍に設定すると、電圧の変換効率が向上するというメリットがあるからである。
【００６４】
さて、この第２の態様に係る電圧生成回路４２０の動作は、次に説明するように、図６に示される第１の態様とほぼ同じとなる。すなわち、選択電圧ＶＳＰが低下して、その分圧電圧ＶＳＰ’が基準電圧Ｖｒｅｆを下回ると、図９に示されるように、コンパレータ４２８の出力信号ＶｃｐがＨレベルに遷移して、これがラッチ回路４２２によってクロック信号ＣＫ２の立ち上がりにおいて取り込まれる結果、ＡＮＤ回路４２４が開いて、パルス信号Ｖｇとしてクロック信号ＣＫ２が圧電トランス４２７に供給される。このため、クロック信号ＣＫ２が圧電トランス４２７によって昇圧された後、ダイオードＤ３、Ｄ４によって整流されて、これがコンデンサＣｂ１において充電されるので、選択電圧ＶＳＰが上昇する制御が行われることとなる。
【００６５】
一方、選択電圧ＶＳＰが上昇して、その分圧電圧ＶＳＰ’が基準電圧Ｖｒｅｆを上回ると、図９に示されるように、コンパレータ４２８の出力信号ＶｃｐがＬレベルに遷移して、これがラッチ回路４２２によってクロック信号ＣＫ２の立ち上がりにおいて取り込まれる結果、ＡＮＤ回路４２４が閉じるので、クロック信号ＣＫ２は圧電トランス４２７に供給されない。このため、コンデンサＣｂ１の充電電圧は、負荷への放電にしたがって減衰するので、選択電圧ＶＳＰを低下させる方向への制御が行われることとなる。
【００６６】
したがって、第２の態様に係る電圧生成回路４２０では、図６に示される第１の態様と同様に、正側の選択電圧ＶＳＰが、Ｖｒｅｆ（Ｒ１＋Ｒ２）／Ｒ２で安定化することになる。なお、図９においても電圧ＶＳＰ’の縦スケールは、第１の態様と同様な理由により他の信号と比較して拡大してある。
【００６７】
また、この第２の態様では、圧電トランス４２７の替わりに、巻線コイルを用いた通常のトランスを用いることも可能である。ただし、通常のトランスは、構成部品として見た場合、そのサイズがどうしても大きくなる傾向にあるので、上述した圧電トランス４２７を用いた構成の方が、回路規模のコンパクト化する点からみれば有利である。
【００６８】
なお、図８において、圧電トランス４２７における共通電極や、ダイオードＤ３のカソードは、電位ＧＮＤに接地される構成となっているが、電圧Ｖｃｃの供給線に接続される構成でも良い。また、図６または図８において、コンデンサＣｂ１の一端は電位ＧＮＤに接地されているが、電圧Ｖｃｃの供給線に接続される構成としても良い。この構成の方が、コンデンサＣｂ１に要求される耐圧が小さくて済む。
【００６９】
＜電圧生成回路における基準電圧Ｖｒｅｆ＞
ところで、電気光学材料の特性は、一般に、温度によって変化する。また、ユーザの嗜好や用途などに対応するために、電気光学装置には、通常、表示特性等を調節する機構が設けられる。一方、選択電圧ＶＳＰ（および極性反転される選択電圧ＶＳＮ）は、電気光学装置における表示特性を規定する電圧でもある。このため、選択電圧ＶＳＰを、環境や設定などに応じて、補償・調節する構成が必要となる。
【００７０】
このような構成としては、第１に、図６または図８に示される電圧生成回路４２０において、固定的な基準電圧Ｖｒｅｆを基準にして選択電圧を生成し、第２に、生成された選択電圧を、抵抗分割やトランジスタなどにより降下調節して、所望の選択電圧を間接的に得る構成が考えられる。しかしながら、この構成では、生成された選択電圧から調節された電圧までの降下分は損失となるので、低消費電力化が要求される電気光学装置では望ましくない。
【００７１】
そこで、基準電圧Ｖｒｅｆを、環境や設定などの変化に対応して適宜可変して、所望する選択電圧を直接的に生成する構成が望ましいと考える。一般的には、基準電圧発生回路内において、温度変化に応じて抵抗値が変化する温度特性を有する抵抗を基準電圧発生源回路に直列的及び／又は並列的に接続し、基準電圧を温度に応じて変化させることが好ましい。この温度−基準電圧の特性の変化は、液晶表示装置における温度−透過率の特性変化カーブを、基準電圧として供給する電圧の変化で補償するように設定すればよい。
【００７２】
また、このような構成の例としては、この他に、例えば、図１０（ａ）に示されるように、温度センサ４２０２によって検出された温度を、温度−電圧テーブル４２０４によって電圧に変換して、これを基準電圧Ｖｒｅｆとして用いる構成が考えられる。また、同図（ｂ）に示されるように、コントラスト設定部４２０６において設定された電圧、すなわち、コントラストに対応して出力される電圧を、基準電圧Ｖｒｅｆとして用いる構成、さらには、同図（ｃ）に示されるように、同図（ａ）および（ｂ）においてそれぞれ出力される電圧に対して、係数ｋに応じて重み付けして、この電圧を基準電圧Ｖｒｅｆとして用いる構成などが考えられる。
【００７３】
＜反転回路＞
次に、反転回路４３０について説明する。図１１（ａ）は、電源回路４００の反転回路４３０について、具体的な構成例を示す回路図である。この図に示されるように、反転回路４３０のスイッチＳＷ１は、その端子ａおよび端子ｂ間において、ゲートに信号／Ａを入力するＰチャネル型トランジスタＴｐ１と、ゲートに信号Ｂを入力するＮチャネル型トランジスタＴｎ１とが直列接続されるとともに、その接続点が端子ｃとして構成されている。同様に、スイッチＳＷ２は、その端子ａおよび端子ｂ間において、ゲートに信号／Ａを入力するＰチャネル型トランジスタＴｐ２と、ゲートに信号Ｂを入力するＮチャネル型トランジスタＴｎ２とが直列接続されるとともに、その接続点が端子ｃとして構成されている。そして、トランジスタをスイッチング素子として用いたスイッチＳＷ１、ＳＷ２の端子ｃ間においてコンデンサＣｐが接続された構成となっている。
【００７４】
したがって、このような構成では、信号／Ａ、ＢがともにＬレベルになると、トランジスタＴｐ１、Ｔｐ２がオンし、トランジスタＴｎ１、Ｔｎ２がオフするので、スイッチＳＷ１、ＳＷ２においてそれぞれ端子ａが選択される一方、信号／Ａ、ＢがともにＨレベルになると、トランジスタＴｐ１、Ｔｐ２がオフし、トランジスタＴｎ１、Ｔｎ２がオンするので、スイッチＳＷ１、ＳＷ２においてそれぞれ端子ｂが選択されることとなる。
【００７５】
なお、図１１（ａ）にあっては、スイッチＳＷ１、ＳＷ２をそれぞれトランジスタで構成することとしたが、例えば、同図（ｂ）に示されるように、スイッチＳＷ２をダイオードＤ１１、Ｄ１２に置き換えた構成としても良い。ただし、この構成では、ダイオードＤ１１、Ｄ１２において順方向に発生する電圧降下の分だけ、コンデンサＣｐの充電電圧が低下する、という欠点はある。なお、スイッチＳＷ１を、ダイオードＤ１１、Ｄ１２に置き換えた構成としても良いのはもちろんである。
【００７６】
また、図１１における各トランジスタは、単チャネル型トランジスタであるが、これをＰチャネルとＮチャネルの相補型トランジスタ（両トランジスタを一緒にオンオフ制御）によるトランスミッションゲート構成としても構わない。
【００７７】
＜発振回路＞
次に、トランジスタＴｐ１、Ｔｐ２、Ｔｎ１およびＴｎ２の各ゲートに供給される信号／Ａ、Ｂとともに、電圧生成回路４２０に供給されるクロック信号ＣＫ１（ＣＫ２）を生成する発振回路４４０の構成について説明する。図１２は、この発振回路４４０の構成を示すブロック図である。この図において、源振回路４４２は、デューティ比約５０％のクロック信号ＣＫ２を発振・生成するものである。ここで、源振回路４４２の具体的構成としては、例えば、図１３（ａ）に示されるように、３段直列インバータの正転出力を、コンデンサを介して入力端▲１▼に帰還して発振させるＣＲ発振回路や、同図（ｂ）に示されるようにインバータの出力端から入力端▲１▼への帰還経路に水晶振動子を介挿させた水晶発振回路などが用いられる。
【００７８】
なお、同図（ａ）または（ｂ）に示される発振回路４４２の発振についてオンオフ制御する場合には、同図（ａ）の初段のインバータや、同図（ｂ）のインバータを同図（ｃ）に示されるようなＮＡＮＤ回路に置換する構成とすれば良い。この構成において、ＮＡＮＤ回路の一方の入力端には、置換前におけるインバータの入力端▲１▼と同じ帰還信号が供給され、他方の入力端には、発振をオンさせる場合にはＨレベル、発振をオフさせる場合にはＬレベルとなる制御信号ＯＮが供給される。なお、この制御信号ＯＮは、実際には、パネル１００を制御する制御回路（図示省略）によって供給されるものであり、パネル１００において長時間表示を行わない場合には、Ｌレベルになる信号である。この場合、電源回路４００においては、クロック信号の供給が停止されるので、それだけ低消費電力化が図られることとなる。
【００７９】
さて、説明を図１２に戻すと、上述した第２の態様に係る電圧生成回路（図８参照）に対しては、源振回路４４２によるクロック信号ＣＫ２が、そのまま供給されるが、上述した第１の態様に係る電圧生成回路を用いる場合には、デューティ比約５０％のクロック信号ＣＫ２が、整形回路４４３によって波形整形されて、これがクロック信号ＣＫ１として供給される構成となっている。
【００８０】
なお、実際には、第１の態様に係る電圧生成回路を用いる場合には、図１３（ｂ）に示される発振回路によって、周波数が１ＭＨｚ程度のクロック信号（したがって、パルス幅は０．５μｓ）を生成し、これを整形回路４４３によって適当に間引きすることによって、周波数が数百ｋＨｚ程度のクロック信号ＣＫ１を生成するか、または発振回路によって、周波数が数百ｋＨｚ程度のクロック信号を生成し、微分回路を通過させることによって、パルス幅０．５μｓ、周波数百ｋＨｚのクロック信号ＣＫ１を生成する。後者では、発振回路の周波数が下がった分、消費電力が低く抑えられる利点がある。また、第２の態様に係る電圧生成回路を用いる場合には、図１３（ａ）に示される発振回路によって、周波数が１００ｋＨｚ程度のクロック信号を生成し、これをそのままクロック信号ＣＫ２として供給する構成となる。したがって、第２の態様では、整形回路４４３は不要となる。
【００８１】
次に、図１２において、分周回路４４４は、クロック信号ＣＫ２を分周して、周波数１０ｋＨｚ程度のクロック信号ＣＫを出力するものであり、クロック形成回路４４６は、クロック信号ＣＫから、低論理振幅の信号／Ａ、Ｂを生成するものである。ここで、クロック形成回路４４６は、クロック信号ＣＫから、例えば、図１４に示されるような低論理振幅の信号／Ａ、Ｂを生成する。すなわち、クロック形成回路４４６は、第１に、クロック信号ＣＫを反転させた信号であって、立ち上がりを遅延させた信号Ａ、および、立ち下がりを遅延させた信号／Ｂをそれぞれ生成し、第２に、これら信号Ａ、／Ｂをそれぞれ反転させて、信号／Ａ、Ｂを生成する。
【００８２】
なお、クロック形成回路４４６までは電源４１０が用いられるので、その出力振幅は、接地電位ＧＮＤから電圧Ｖｃｃまでに制限される。一方、反転回路４３０において、スイッチＳＷ１、ＳＷ２を構成するトランジスタＴｐ１、Ｔｐ２、Ｔｎ１、Ｔｎ２は、それよりも遙かに高い電圧間でスイッチングする。このため、クロック形成回路４４６による低論理振幅の信号／Ａ、Ｂは、レベルシフタ４４８によって高論理振幅の信号にそれぞれ変換される。そして、振幅変換された信号／Ａが、トランジスタＴｐ１、Ｔｐ２のゲート信号として、同じく振幅変換された信号Ｂが、トランジスタＴｎ１、Ｔｎ２のゲート信号として、それぞれ反転回路４３０に供給される。
【００８３】
ここで、図１４に示されるように、信号／ＡがＬレベルになる期間と、信号ＢがＨレベルになる期間とは、互いに重複しないように設定されているので、トランジスタＴｐ１、Ｔｐ２と、トランジスタＴｎ１、Ｔｎ２とは、互いに排他的ににオンすることになる。このため、４つのトランジスタが同時にオンすることによるコンデンサＣｐのリークが防止されつつ、スイッチＳＷ１、ＳＷ２において、それぞれ端子ａ、ｂが交互に選択されることとなる。
【００８４】
このように第１実施形態に係る電源回路４００において、電圧生成回路４２０として、第１の態様（図６参照）を採用すると、外付けする必要がある部品は、インダクタＬおよびコンデンサＣｂ１だけで済み、また、第２の態様（図８参照）を採用すると、圧電トランス４２７およびコンデンサＣｂ１だけで済む。ほかに必要なのは、極性反転の際に用いるコンデンサＣｐと、負極性の選択電圧ＶＳＮを保持するためのコンデンサＣｂ２とだけである。このため、本実施形態に係る電源回路４００によれば、単一の電源電圧Ｖｃｃをチャージポンプ回路により昇圧して、選択電圧を生成する従来の構成と比較して、外付けしなければならない部品数が大幅に削減されるので、実装の簡略化や低コスト化などが図ることが可能となる。
【００８５】
さらに、第１実施形態に係る電源回路４００では、第１に、正極性の選択電圧ＶＳＰが電圧生成回路４２０によって生成されるとともに、スイッチＳＷ１、ＳＷ２において端子ａが選択されて、コンデンサＣｐに充電され、第２に、端子ｂが選択されて、これにより、選択電圧ＶＳＰが中間電圧ＶＣを基準にして極性反転されて、負極性の選択電圧ＶＳＮが生成される。このため、正極性の選択電圧ＶＳＰおよび負極性の選択電圧ＶＳＮを、中間電圧ＶＣを基準にして対称的に生成することが比較的容易となる上に、電気光学材料の充放電電流による熱損失が防止されるので、一段と低消費電力化が図られることとなる。
【００８６】
＜第１実施形態の変形＞
上述した反転回路４３０は、スイッチＳＷ１の選択端子ｂを電圧Ｖｃｃの供給線に接続するととともに、スイッチＳＷ２の選択端子ａを電位ＧＮＤに接地する構成としたが、これに限られない。例えば、図１５に示されるように、スイッチＳＷ１の選択端子ｂを電位ＧＮＤに接地するとともに、スイッチＳＷ２の選択端子ａを電圧Ｖｃｃの供給線に接続する構成としても良い。この構成において、スイッチＳＷ１、ＳＷ２の端子ａがそれぞれ選択されると、コンデンサＣｐは、図１６において▲１▼で示されるように、選択電圧ＶＳＰを高電位側とし、電圧Ｖｃｃを低電位側として接続されて充電される。次に、スイッチＳＷ１、ＳＷ２の端子ｂがそれぞれ選択されると、図１６において▲２▼で示されるように、コンデンサＣｐにおける高電位側が接地電位ＧＮＤになるので、低電位側の信号線ｎ１の電位は、端子ａの選択時における電圧Ｖｃｃから、高電位側の変動分（ＶＳＰ−ＧＮＤ）だけ引き下げられる結果、第１実施形態と同様に、正極性の選択電圧ＶＳＰを、中間電圧ＶＣを基準に反転させた負極性の選択電圧ＶＳＮとなる。なお、図１５においては、簡略化のため発振回路４４０を省略している。この点においては、以下の図１７、図１９および図２３においても同様である。
【００８７】
また、電圧生成回路４２０は、正極性の選択電圧ＶＳＰを生成する構成としたが、図１７に示されるように、負極性の選択電圧ＶＳＮを生成する構成としても良い。この構成において、スイッチＳＷ１、ＳＷ２の端子ｂがそれぞれ選択されると、コンデンサＣｐは、図１８において▲１▼で示されるように、電圧Ｖｃｃを高電位とし、負極性の選択電圧ＶＳＮを低電位として接続されて充電される。次に、スイッチＳＷ１、ＳＷ２の端子ａがそれぞれ選択されると、図１８において▲２▼で示されるように、コンデンサＣｐにおける低電位側が接地電位ＧＮＤになるので、高電位側の信号線ｐ１の電位は、端子ｂの選択時における電圧Ｖｃｃから、低電位側の変動分（ＧＮＤ−ＶＳＮ）だけ引き上げられる結果、負極性の選択電圧ＶＳＮを、中間電圧ＶＣを基準に反転させた正極性の選択電圧ＶＳＰとなる。
【００８８】
さらに、電圧生成回路４２０が負極性の選択電圧ＶＳＮを生成する構成において、図１９に示されるように、スイッチＳＷ１の選択端子ｂを電位ＧＮＤに接地するとともに、スイッチＳＷ２の選択端子ａを電圧Ｖｃｃの供給線に接続する構成としても良い。この構成において、スイッチＳＷ１、ＳＷ２の端子ｂがそれぞれ選択されると、コンデンサＣｐは、図２０において▲１▼で示されるように、接地電位ＧＮＤを高電位とし、負極性の選択電圧ＶＳＮを低電位として接続されて充電される。次に、スイッチＳＷ１、ＳＷ２の端子ａがそれぞれ選択されると、図２０において▲２▼で示されるように、コンデンサＣｐにおける低電位側が電圧Ｖｃｃになるので、高電位側の信号線ｐ１の電位は、端子ｂの選択時における接地電位ＧＮＤから、低電位側の変動分（Ｖｃｃ−ＶＳＮ）だけ引き上げられる結果、同様に、負極性の選択電圧ＶＳＮを、中間電圧ＶＣを基準に反転させた正極性の選択電圧ＶＳＰとなる。
【００８９】
ここで、図１７および図１９において、負極性の選択電圧ＶＳＮを生成する電圧生成回路４２０としては、例えば、第１の態様に係るものであれば、図２１に示されるものとなる。すなわち、図２１に示される電圧生成回路４２０は、図６に示される構成に対し、極性反転に伴って、第１に、電圧Ｖｃｃが接地電位ＧＮＤに、接地電位ＧＮＤが電圧Ｖｃｃにそれぞれ置き換わり、第２に、ダイオードＤ１の順方向が反対となり、第３に、コンパレータ４２８における正入力端および負入力端に供給される信号が反対となり、第４に、トランジスタ４２６がＰチャネル型となり、第５に、論理積回路４２４はＮＡＮＤ回路に置き換わっている。そして、この構成では、トランジスタ４２６のオン期間にインダクタＬに蓄積されたエネルギーが、トランジスタ４２６のオフ期間に逆極性で取り出されて、コンデンサＣｂ１に蓄積（厳密に言えば、放電）されることとなる。なお、出力たる選択電圧ＶＳＮを分圧した電圧ＶＳＮ’と基準電圧Ｖｒｅｆとの比較結果にしたがって、トランジスタ４２６のオンオフを帰還制御する点については図６と同様である。このため、負極の選択電圧ＶＳＮが高いと（絶対値が小さいと）、クロック信号ＣＫ１の反転信号がトランジスタ４２６に供給されるので、選択電圧ＶＳＮを降下させる（絶対値を大きくする）制御が人為的に行われる一方、負極の選択電圧ＶＳＮが低い（絶対値を大きいと）と、クロック信号ＣＫ１の反転信号がトランジスタ４２６に供給されないので、選択電圧ＶＳＮを上昇させる（絶対値を小さくする）制御が自然発生的に行われることとなる。
【００９０】
一方、負極性の選択電圧ＶＳＮを生成する電圧生成回路４２０としては、第２の態様に係るものであれば、図２２に示されるものとなる。すなわち、図２２に示される電圧生成回路４２０は、図８に示される構成に対し、極性反転に伴って、第１に、電圧Ｖｃｃが接地電位ＧＮＤに、接地電位ＧＮＤが電圧Ｖｃｃにそれぞれ置き換わり、第２に、ダイオードＤ３、Ｄ４の順方向が反対となり、第３に、コンパレータ４２８における正入力端および負入力端に供給される信号が反対となり、第４に、論理積回路４２４はＮＡＮＤ回路に置き換わっている。そして、この構成では、負極の選択電圧ＶＳＮが高いと、クロック信号ＣＫ２の反転信号が圧電トランス４２７の一次側に供給されるので、選択電圧ＶＳＮを降下させる制御が人為的に行われる一方、負極の選択電圧ＶＳＮが低いと、クロック信号ＣＫ２の反転信号が圧電トランス４２７の一次側に供給されないので、選択電圧ＶＳＮを上昇させる制御が自然発生的に行われることとなる。
【００９１】
なお、図２１において、圧電トランス４２７における共通電極や、ダイオードＤ３のアノードは、電圧Ｖｃｃの供給線に接続される構成となっているが、電位ＧＮＤに接地される構成でも良い。また、図２１または図２２において、コンデンサＣｂ１の一端は電圧Ｖｃｃの供給線に接続されているが、電位ＧＮＤに接地される構成としても良い。この構成の方が、コンデンサＣｂ１に要求される耐圧が小さくて済む。
【００９２】
ところで、電気光学材料の特性などの諸般の事情によって、データ線に印加する電圧として、電源４１０（図４参照）による電圧Ｖｃｃを用いることができない場合がある。このような場合、図２３に示されるように、電圧Ｖｃｃとは異なる電圧Ｖｃｘを、データ信号の高電位側電圧（非選択電圧）ＶＨＰとして供給する一方、接地電位ＧＮＤを、データ信号の低電位側電圧（非選択電圧）ＶＨＮとして供給するとともに、スイッチＳＷ１の端子ｂを電圧Ｖｃｘの供給線に接続する構成とすれば良い。この構成において、スイッチＳＷ１、ＳＷ２の端子ａがそれぞれ選択されると、コンデンサＣｐは、図２４において▲１▼で示されるように、選択電圧ＶＳＰを高電位とし、接地電位ＧＮＤを低電位として接続されて充電される。次に、スイッチＳＷ１、ＳＷ２の端子ｂがそれぞれ選択されると、図２４において▲２▼で示されるように、コンデンサＣｐにおける高電位が電圧Ｖｃｘになるので、低電位たる信号線ｎ１の電位は、端子ａの選択時における接地電位ＧＮＤから、高電位の変動分（ＶＳＰ−Ｖｃｘ）だけ引き下げられる結果、第１実施形態と同様に、データ線に印加される電圧の中間電圧ＶＣ’（＝Ｖｃｘ／２）を基準に、正極性の選択電圧ＶＳＰを反転させた負極性の選択電圧ＶＳＮとなる。
【００９３】
なお、このような構成において、電圧Ｖｃｘは、図示しないオペアンプやＤＣ−ＤＣコンバータ等によって、Ｖｃｃ−ＧＮＤから生成されることになる。また、図示は省略するが、スイッチＳＷ１の端子ｂを電位ＧＮＤに接地されるとともに、スイッチＳＷ２の端子ａを電圧Ｖｃｘの供給線に接続した構成でも同様である。
【００９４】
さらに、このように電圧Ｖｃｃの代わりに電圧Ｖｃｘを用いる構成は、他の実施形態においても適用でき、図１５、図１７、図１９における電圧Ｖｃｃを電圧Ｖｃｘに置き換えることで実施可能である。
【００９５】
なお、先に述べたように、ＴＦＤ２２０の電流−電圧特性が正負極において非対称であることを印加電圧によって補償する場合には、データ信号として（Ｖｃｃ−ＧＮＤ）を用い、一方、電源回路４００においては電圧Ｖｃｃとは異なる電圧Ｖｃｘを用いて、正極性の選択電圧ＶＳＰおよび負極性の選択電圧ＶＳＮを生成し、データ信号の中間電圧ＶＣに対して非対称とすれば良い。これにより、ＴＦＤ２２０での非線形性を補償することができる。
【００９６】
＜第２実施形態＞
上述した第１実施形態に係る電源回路にあっては、ＴＦＤ２２０を用いたパネル１００に適用したために、データ信号の中間電圧ＶＣを実際には生成しない構成となっている。これに対して、ＴＦＤ２２０のようなスイッチング素子を用いない、いわゆるパッシブマトリクス方式の電気光学装置にあっては、非選択電圧をデータ信号の中間電圧ＶＣとする場合がほとんどである。
【００９７】
そこで、第２実施形態として、パッシブマトリクス方式の電気光学装置に適用される電源回路を説明する。ここでも、電源回路について説明する前に、この電源回路を含めた電気光学装置の全体構成について簡単に説明する。図２５は、この電気光学装置の電気的な構成を示すブロック図である。この図に示される電気光学装置において、図１に示されるものと相違する点は、第１に、パネル１００には、ＴＦＤ２２０のようなスイッチング素子が形成されずに、走査電極（走査線）３１３が行方向に延在して形成される一方、データ電極（データ線）２１３が列方向に延在して形成されている点と、第２に、電源回路４００が、選択電圧ＶＳＰ、ＶＳＮと、データ信号に用いられる電圧ＶＨＰ、ＶＨＮとともに、中間電圧ＶＣを実際に生成する点と、第３に、表示制御信号ＰＤがデータ線駆動回路２５０と走査線駆動回路３５０と電源回路４００とに供給されている点とにある。
【００９８】
まず、第１の相違点によって、パネル１００の構造は、図２６に示されるように非常にシンプルなものとなる。すなわち、パネル１００を構成する一方の基板２００においてデータ電極２１３が形成される一方、他方の基板３００において走査電極３１３が形成されて、両基板間に電気光学材料として、例えばＴＮ型や、ＳＴＮ（Super Twisted Nematic）型、ＢＴＮ（Bi-stable Twisted Nematic）型や強誘電型などの双安定型、高分子分散型などの液晶１０５が挟持された構成となっている。このため、画素１１６は、データ電極２１３と走査電極３１３との交差において、両電極とこの間に挟持された液晶とにより構成されることとなる。
【００９９】
次に、第２の相違点については、この電気光学装置における駆動波形が図２７に示されることと関係がある。すなわち、図２７において、電圧ＶＳＰ、ＶＳＮはそれぞれ選択電圧である点で図３と共通であるが、非選択電圧は、中間電圧ＶＣのみである点で図３と相違する。この相違のため、図２５において中間電圧ＶＣが非選択電圧として走査線駆動回路３５０に供給されているのである。
【０１００】
なお、図２７に示されるように、走査信号Ｙｊの選択信号は、当該走査電極３１３が選択される水平走査期間（１Ｈ）にわたって正極性の選択電圧ＶＳＰまたは負極性の選択電圧ＶＳＮが印加される。このため、データ信号Ｘｉも、走査信号Ｙｊに対応して、次の通りとなる。すなわち、図２５において左から数えてｉ番目のデータ電極２１３と同図において上から数えてｊ番目の走査電極３１３との交点に位置する画素１１６の表示内容がオン表示の場合であって、かつ、ｊ番目の走査電極３１３が選択される水平走査期間（１Ｈ）に、当該走査電極３１３に印加される選択電圧が正極性である場合、データ信号Ｘｉは、図２７（ａ）に示されるように、当該選択電圧とは逆極性の低電位側の電圧ＶＨＮとなる一方、同表示を行う場合であって、かつ、ｊ番目の走査電極３１３が選択される水平走査期間（１Ｈ）に、当該走査電極３１３に印加される選択電圧が負極性である場合、データ信号Ｘｉは、同図に示されるように、当該選択電圧とは逆極性の高電位側の電圧ＶＨＰとなる。
【０１０１】
また、ｉ番目のデータ電極２１３とｊ番目の走査電極３１３との交点に位置する画素１１６の表示内容がオフ表示の場合であって、かつ、ｊ番目の走査電極３１３が選択される水平走査期間（１Ｈ）に、当該走査電極３１３に印加される選択電圧が正極性である場合、データ信号Ｘｉは、図２７（ｃ）に示されるように、当該選択電圧とは同極性の高電位側の電圧ＶＨＰとなる一方、同表示を行う場合であって、かつ、ｊ番目の走査電極３１３が選択される水平走査期間（１Ｈ）に、当該走査電極３１３に印加される選択電圧が負極性である場合、データ信号Ｘｉは、同図に示されるように、当該選択電圧とは同極性の低電位側の電圧ＶＨＮとなる。
【０１０２】
次に、第３の相違点について説明すると、表示制御信号ＰＤは、図示しない制御回路から供給される信号であって、ある走査電極３１３に含まれる領域だけ表示状態とし、それ以外の走査電極３１３に含まれる領域については非表示領域とする場合（部分表示の場合）には、表示領域に含まれる走査電極３１３が選択される期間だけＨレベルとなり、それ以外の期間ではＬレベルとなる信号である。例えば、図２８に示されるような部分表示、具体的には、パネル１００において、上から数えて１〜１２０本目の走査電極によって走査される領域が表示領域となる一方、１２１〜２４０本目の走査電極によって走査される領域が非表示領域となる部分表示について想定すると、表示制御信号ＰＤは、図２９に示されるように、１垂直走査期間（１Ｈ）のうち、前半の１２０Ｈの期間ではＨレベルとなり、この後半の１２０Ｈの期間ではＬレベルとなる。
【０１０３】
この際、表示領域に属する走査電極３１３に印加される走査信号Ｙ１〜Ｙ１２０は、図２９に示されるように、その選択期間である１水平走査期間（１Ｈ）に選択信号ＶＳＰまたはＶＳＮとなるが、非表示領域に属する走査電極３１３に印加される走査信号Ｙ１２１〜Ｙ２４０は、非選択電圧ＶＣに固定化される。一方、データ信号Ｘｉは、表示制御信号ＰＤがＨレベルとなる期間においては、上述したように、その選択電圧の極性と、その走査電極３１３との交差に位置する画素１１６の表示内容とに応じて定められるが、表示制御信号ＰＤがＬレベルとなる期間においては、走査信号Ｙ１２０の電圧が選択電圧となった際の電圧レベルにラッチされる。すなわち、表示制御信号ＰＤがＬレベルとなる期間におけるデータ信号Ｘｉの電圧は、ｉ番目のデータ電極２１３と、表示領域の境界に位置する２４０番目の走査電極３１３との交点に位置する画素１１６の表示内容と、その際に印加される選択電圧の極性とに応じて、電圧ＶＨＰまたはＶＨＮのいずれか一方にラッチされる。ここで、走査信号Ｙｊにおける選択電圧の極性は、１垂直走査期間（１Ｆ）毎に反転されるので、表示制御信号ＰＤがＬレベルとなる期間におけるデータ信号Ｘｉも１垂直走査期間（１Ｆ）毎に反転されることとなる。このため、非選択電圧ＶＣに固定化された走査信号Ｙ１〜Ｙ１２０と、表示制御信号ＰＤがＬレベルとなる期間のデータ信号Ｘｉとによって印加される電圧、すなわち、非表示領域に属する画素１１６への印加電圧の実効値はゼロとなるので、オフ表示が行われることとなる。
【０１０４】
＜電源回路＞
次に、本発明の第２の実施形態に係る電源回路について説明する。図３０は、この電源回路４００の概略構成を示すブロック図である。この電源回路４００は、単一電源４１０から供給されるＶｃｃ−ＧＮＤから選択電圧ＶＳＰ、ＶＳＮを生成する点では、第１実施形態（図４参照）に係る電源回路と共通であるが、降圧回路４５０によって生成された中間電圧ＶＣ（＝Ｖｃｃ／２）を非選択電圧として供給するとともに、電圧Ｖｃｃおよび接地電位ＧＮＤを、それぞれデータ信号の高電位側電圧ＶＨＰおよび低電位側電圧ＶＨＮとして供給して、非選択電圧と共用しない点において、第１実施形態に係る電源回路と相違している。
【０１０５】
さらに、本実施形態に係る電源回路４００にあっては、その発振回路４４０も若干相違している。すなわち、図３１に示されるように、源振回路４４２によるクロック信号ＣＫ２を分周してクロック信号ＣＫを出力する分周回路４４４には、表示制御信号ＰＤが供給されている。ここで、本実施形態における分周回路４４４は、表示制御信号ＰＤがＨレベルの場合にだけ、クロック信号ＣＫを出力する一方、表示制御信号ＰＤがＬレベルの場合には、クロック信号ＣＫの出力を停止する構成となっている。クロック信号ＣＫの出力が停止されると、クロック形成回路４４６によって信号／Ａ、Ｂが生成されることもないので、反転回路４３０におけるスイッチＳＷ１、ＳＷ２のスイッチング動作も停止することになる。
【０１０６】
上述したように表示制御信号ＰＤがＬレベルの場合には、走査電極３１３への印加電圧は非選択電圧ＶＣに固定されるので、正極性の選択電圧ＶＳＰおよび負極性の選択電圧ＶＳＮを生成する必要はなく、したがって、この場合において、一方の選択電圧から他方の選択電圧を生成するためにスイッチＳＷ１、ＳＷ２をスイッチングさせることは無意味な動作となる。これに対し、本実施形態に係る電源回路にあっては、表示制御信号ＰＤがＬレベルの場合、反転回路４３０におけるスイッチＳＷ１、ＳＷ２のスイッチング動作が停止するので、その分、低消費電力化が図られることとなる。
【０１０７】
なお、表示制御信号ＰＤがＬレベルの場合、分周回路４４４においてクロック信号ＣＫの出力を停止する構成としたが、分周比を高くして、クロック信号ＣＫの周波数を低下させる構成としても、同様に、消費電力を抑えることが可能となる。
【０１０８】
さて、このような第２実施形態において、他の点については、第１実施形態と同様である。すなわち、第１の点として、第２実施形態の電圧生成回路４２０に第１の態様（図６参照）を用いても良いし、第２の態様（図８参照）を用いても良い。第２の点として、反転回路４３０において極性反転に用いる電位をどの電位とすべきかという点も、第１実施形態と同様に考えることができるので、図３０に示される構成のほか、スイッチＳＷ１の端子ｂを電位ＧＮＤに、スイッチＳＷ２の端子ａを電圧Ｖｃｃの供給線にそれぞれ接続する構成としても良い。第３の点として、電圧生成回路４２０が正極性でなく、負極性の選択電圧を生成しても良いので、第２実施形態の電圧生成回路４２０に、図２１に示される構成を用いても良いし、図２２に示される構成を用いても良い。第４の点として、電圧Ｖｃｃでなく、電圧Ｖｃｘを非選択電圧ＶＨＰとして用いても良いので、図２３に示される構成において、ＶＨＰとＶＨＮの間に、降圧回路４５０を介挿して、第２実施形態に係る電源回路４００として構成しても良い。さらに、上記第１〜第４の点を適宜組み合わせて、第２実施形態に係る電源回路４００として構成しても良いのは、もちろんである。
【０１０９】
＜第２実施形態の変形＞
図３０に示される電源回路４００にあっては、第１実施形態とは異なり、中間電圧ＶＣが実際に生成されている。このため、反転回路４３０における反転を、中間電圧ＶＣを基準にして行う構成としても良い。具体的には、図３２に示されるように、反転回路４３０において、スイッチＳＷ１の選択端子ｂと、スイッチＳＷ２の選択端子ａとが、中間電圧ＶＣの供給線に接続される構成となる。この構成では、まず、スイッチＳＷ１、ＳＷ２の端子ａがそれぞれ選択されていると、コンデンサＣｐは、選択電圧ＶＳＰを高電位側とし、中間電圧ＶＣを低電位側として接続されて充電される。次に、スイッチＳＷ１、ＳＷ２の端子ｂがそれぞれ選択されると、コンデンサＣｐにおける高電位側が中間電圧ＶＣになるので、低電位側の電位は、端子ａの選択時における中間電圧ＶＣから、高電位側の変動分（ＶＳＰ−ＶＣ）だけ引き下げられる。したがって、コンデンサＣｐの低電位側に接続された供給線ｎ１の電位は、中間電圧ＶＣを基準にして正極性の選択電圧ＶＳＰを反転させた電圧、すなわち、負極性の選択電圧ＶＳＮとなる。
【０１１０】
なお、このように中間電圧ＶＣを基準にして極性反転を行う構成においても、反転回路の基準に関する上記第２の点を除いた構成を採用することができる。すなわち、電圧生成回路４２０の態様に関する第１の点と、電圧生成回路４２０が正極性でなく、負極性の選択電圧を生成する第３の点と、電圧Ｖｃｃでなく、電圧Ｖｃｘを非選択電圧ＶＨＰとして用いる第４の点とを適宜組み合わせて、第２実施形態の変形例に係る電源回路４００として構成しても良いのは、もちろんである。
【０１１１】
＜第３実施形態＞
上述した第１および第２実施形態に係る電源回路にあっては、１本の走査線（電極）を順次選択する、という電気光学装置に適用したものであったが、一般に、このような電気光学装置にあっては、選択走査線に印加される選択電圧が高くなる傾向がある。
【０１１２】
そこで、第３実施形態として、複数本の走査電極をまとめて同時に選択するとともに、それら複数本の走査電極に対し、１垂直走査期間内において、複数本の走査電極を複数回選択する、というマルチラインセレクション（Multi-Line Selection）方式によって駆動して、選択電圧を低下させた電気光学装置および電源回路について説明する。
【０１１３】
図３３は、この電気光学装置の電気的な構成を示すブロック図である。この図に示される電気光学装置にあっては、パネル１００にＴＦＤ２２０のようなスイッチング素子が形成されずに、走査電極３１３が行方向に延在して形成される一方、データ電極２１３が列方向に延在して形成されている点において、図２５に示される電気光学装置と共通であるが、電源回路４００が、走査線駆動回路３５０に対して電圧ＶＨ、ＶＣ、ＶＬの計３電圧を供給する一方、データ線駆動回路２５０に対して電圧±Ｖ２、±Ｖ１、ＶＣの計５電圧を供給する点において相違している。
【０１１４】
この相違点を中心に説明すると、この電気光学装置における駆動波形が図３４に示されることと関係がある。すなわち、図３４に示されるように、各走査電極３１３への走査信号Ｙ１〜は、選択電圧ＶＨ、ＶＬおよび非選択電圧ＶＣの３電圧を取り得るが、各データ電極２１３へのデータ信号Ｘ１〜は、電圧±Ｖ２、±Ｖ１、ＶＣの５電圧を取り得るためである。
【０１１５】
さて、このマルチセレクション方式にあっては、図３４に示されるように、１フレーム（１Ｆ）を４等分した各フィールド（１ｆ）のそれぞれにおいて、走査電極３１３が順次４本毎に同時に選択されて、各選択期間において、正規性および直交性を満たす選択電圧が印加されている。ここで、「正規性」とは、すべての走査電極３１３に印加される電圧の実効値がフレーム周期単位において互いに等しくなることを意味し、また、「直交性」とは、ある走査電極３１３に印加される電圧と、他の任意の走査電極３１３に印加される電圧とを１フレーム分、積和した結果がゼロになることを意味する。
【０１１６】
次に、ｉ番目のデータ電極２１３へのデータ信号Ｘｉは、例えば次のようにして定められる。すなわち、第１に、選択された走査電極３１３への選択電圧が正極性（ＶＨ）であれば「１」とし、負極性（ＶＬ）であれば「−１」とする一方、選択された走査電極３１３とｉ番目のデータ電極２１３と交差に位置する画素１１６の表示がオフであれば「−１」とし、オンであれば「１」とし、第２に、同時選択される４本の走査電極３１３と交差する４個の画素１１６についてそれぞれ対比して、不一致数を求め、第３に、不一致数が「４」であれば電圧Ｖ２とし、「３」であれば電圧Ｖ１とし、「２」であれば電圧ＶＣとし、「１」であれば電圧Ｖ１とし、「０」であれば電圧−Ｖ２として、データ信号Ｘｉの電圧が定められる。
【０１１７】
なお、図３４におけるデータ信号Ｘｉは、ｉ番目のデータ電極２１３において、走査電極Ｙ１〜Ｙ８と交差する８つの画素１１６の表示が、例えば、オン、オン、オン、オン、オン、オフ、オン、オンとするような場合の波形である。
【０１１８】
また、ここでは、１フレームにおいて時間的に分散させて選択電圧を印加する構成としたが、１フレームにおいて時間的に集約させて選択電圧を印加する構成としても良い。さらに、同時に選択される走査電極数は「４」に限られず、例えば、「２」や、「３」、「７」などとしても良く、この場合には、データ信号に用いられる電圧数も、同時に選択される走査電極数に応じて増減することになる。
【０１１９】
＜電源回路＞
次に、本発明の第３の実施形態に係る電源回路について説明する。図３５は、この電源回路４００の概略構成を示すブロック図である。
【０１２０】
この電源回路では、単一電源４１０から供給される電圧Ｖｃｃおよび接地電位ＧＮＤを、それぞれデータ信号に用いられる電圧Ｖ２、ＶＣとして供給する。したがって、本実施形態では、データ信号の中間電圧ＶＣは、上述した第１および第２実施形態のようにＶｃｃ／２ではなく、接地電位ＧＮＤとなるので、極性の基準が相違する点に注意すべきである。
【０１２１】
一方、電圧生成回路４６０は、Ｖｃｃ−ＧＮＤを負方向に極性反転した電圧−Ｖ２（＝−Ｖｃｃ）を生成するものである。この具体的構成としては、図２１や図２２などの電圧生成回路４２０と同様にして、電圧−Ｖ２を発生させても良いし、コンデンサを用いて（Ｖ２−ＶＣ）を充電して電圧Ｖ２側のコンデンサ電極をＶＣに切り換えて接続することにより、先の中間電圧ＶＣを基準として負方向に−（Ｖ２−ＶＣ）＝−Ｖ２を発生させても良いし、オペアンプ等を用いても良い。また、降圧回路４７０は、電圧Ｖｃｃおよび接地電位ＧＮＤの間を２分割した電圧Ｖ１（＝Ｖｃｃ／２）を生成するものであり、降圧回路４８０は、接地電位ＧＮＤおよび電圧−Ｖ２の間を２分割した電圧−Ｖ１（＝−Ｖｃｃ／２）を生成するものである。
【０１２２】
さて、電圧生成回路４２０は、上述した構成によって、電源４１０によるＶｃｃ−ＧＮＤから正極性の選択電圧ＶＨを生成するものである。この具体的構成としては、図６や図８などの電圧生成回路４２０と同様にしても良いし、コンデンサを用いて極性反転しても良いし、オペアンプ等を用いても良い。ただし、この選択電圧ＶＨは、選択電圧ＶＳＰよりも低くて済む。また、反転回路４３０においては、スイッチＳＷ２の選択端子ａが電圧−Ｖ２の供給線に接続されているが、正極性の選択電圧ＶＨを、中間電圧ＶＣを基準に極性反転して負極性の選択電圧ＶＬを生成する点において変わりはない。
【０１２３】
したがって、この電源回路４００では、データ信号の中間電圧ＶＣを基準にして、まず、正極性の選択電圧ＶＨが電圧生成回路４２０によって生成され、次に、選択電圧ＶＨが反転回路４３０によって極性反転されて、負極性の選択電圧ＶＬが生成されるとともに、マルチセレクション方式において必要なデータ信号の電圧が５値生成されることとなる。
【０１２４】
なお、このような第３実施形態（及び後述するその変形形態）において、他の点については、第１実施形態や第２実施形態と同様である。すなわち、第１の点として、第３実施形態の電圧生成回路４２０に第１の態様（図６参照）を用いても良いし、第２の態様（図８参照）を用いても良い。第２の点として、反転回路４３０において極性反転に用いる電位をどの電位とすべきかという点も、第１および第２実施形態と同様に考えることができるので、図３５に示される構成のほか、スイッチＳＷ１の端子ｂを電圧−Ｖ２の供給線に、スイッチＳＷ２の端子ａを電圧Ｖｃｃの供給線にそれぞれ接続する構成としても良い。第３の点として、電圧生成回路４２０が正極性でなく、負極性の選択電圧を生成しても良いので、第３実施形態の電圧生成回路４２０に、図２１に示される構成を用いても良いし、図２２に示される構成を用いても良い。第４の点として、電圧Ｖｃｃとは異なる電圧Ｖｃｘを電圧Ｖ２とするとともに、中間電圧ＶＣを基準に負極性側に反転して、電圧−Ｖ２として用いても良い。さらに、上記第１〜第４の点を適宜組み合わせて、第３実施形態に係る電源回路４００として構成しても良いのは、もちろんである。
【０１２５】
＜第３実施形態の変形＞
図３５に示される電源回路４００にあっては、第２実施形態と同様に、中間電圧ＶＣが実際に生成されている。このため、反転回路４３０における反転を、中間電圧ＶＣを基準にして行う構成としても良い。具体的には、図３６に示されるように、反転回路４３０において、スイッチＳＷ１の選択端子ｂと、スイッチＳＷ２の選択端子ａとが、中間電圧ＶＣの供給線に接続される構成となる。この構成では、まず、スイッチＳＷ１、ＳＷ２の端子ａがそれぞれ選択されていると、コンデンサＣｐは、選択電圧ＶＨを高電位側とし、中間電圧ＶＣを低電位側として接続されて充電される。次に、スイッチＳＷ１、ＳＷ２の端子ｂがそれぞれ選択されると、コンデンサＣｐにおける高電位側が中間電圧ＶＣになるので、低電位側の電位は、端子ａの選択時における中間電圧ＶＣから、高電位側の変動分（ＶＨ−ＶＣ）だけ引き下げられる。したがって、コンデンサＣｐの低電位側に接続された供給線ｎ１の電位は、中間電圧ＶＣを基準にして正極性の選択電圧ＶＨを反転させた電圧、すなわち、負極性の選択電圧ＶＬとなる。
【０１２６】
なお、このように中間電圧ＶＣを基準にして極性反転を行う構成においても、反転回路の基準に関する上記第２の点を除いた構成を採用することができる。すなわち、電圧生成回路４２０の態様に関する第１の点と、電圧生成回路４２０が正極性でなく、負極性の選択電圧を生成する第３の点と、電圧Ｖｃｃでなく、電圧Ｖｃｘを電圧Ｖ２として用いる第４の点とを適宜組み合わせて、第３実施形態の変形例に係る電源回路４００として構成しても良いのは、もちろんである。
【０１２７】
また、図３５や図３６に示した電気光学装置においては部分表示について言及しなかったが、表示制御信号ＰＤを、データ線駆動回路２５０、走査線駆動回路３５０および電源回路４００に供給して、第２実施形態と同様な処理を行う構成として良いのはもちろんである。
【０１２８】
さらに、第１、第２および第３実施形態にあっては、電気光学材料として液晶を用いた表示装置を例にとって説明したが、エレクトロルミネッセンスや、蛍光表示管、プラズマディスプレイなど、電気光学効果を用いたすべての装置に適用可能である。すなわち、本発明は、上述した構成と類似した構成を有するすべての電気光学装置に適用可能なものである。
【０１２９】
＜電子機器＞
次に、上述した電気光学装置を携帯型電子機器に適用する場合について説明する。この場合、電子機器は、図３７に示されるような構成に概略される。すなわち、ＣＰＵ（Central Processing Unit）１００２は、バスを介して電気機器の各部を制御するものである。また、ＶＲＡＭ１００４は、パネル１００の画素に１対１に対応する記憶領域を有するものであり、ＣＰＵ１００２によってランダムに書き込まれた表示データが、走査方向にしたがってシーケンシャルに読み出される構成となっている。さらに、制御回路１００６は、パネル１００の駆動に必要な各種タイミング信号などを生成して、駆動回路１５０に供給するものである。なお、駆動回路１５０は、上述したデータ線駆動回路２５０や、走査線駆動回路３５０を総称したものである。また、電源回路４００は、上述したように電源４１０から、駆動回路１５０において、走査信号やデータ信号に用いられる電圧を生成するものである。なお、電源４１０は、この電子機器の電源としても用いられる。このような電子機器によれば、電源回路４００における外付け部品数が削減されるので、実装の簡略化や低コスト化などが図られることとなる。
【０１３０】
＜携帯電話＞
次に、上述した表示装置を携帯電話に適用した例について説明する。図３８は、この携帯電話の構成を示す斜視図である。図において、携帯電話１３００は、複数の操作ボタン１３０２のほか、受話口１３０４、送話口１３０６とともに、パネル１００を備えるものである。そして、このパネル１００は、上述した部分表示を可能とするものであって、例えば、着信時または発信時には、全領域を表示領域とする全画面表示を行う一方、待ち受け時には、電界強度や、番号、文字など必要な情報を表示する領域のみを表示領域とし、他の領域については非表示領域とする部分表示を行うものである。これにより、待ち受け時にパネル１００で消費される電力が抑えられるので、待ち受け可能時間の長期化を図ることも可能となる。
【０１３１】
なお、本実施形態に係る電気光学装置を適用する電子機器としては、低消費電力化の要求の強い機器、例えば、上述した携帯電話のほか、ページャ、時計、ＰＤＡ（個人向け情報端末）などが好適である。ただし、この他にも、液晶テレビや、ビューファインダ型、モニタ直視型のビデオテープレコーダ、カーナビゲーション装置、電卓、ワードプロセッサ、ワークステーション、テレビ電話、ＰＯＳ端末、タッチパネルを備えた機器等などにも適用可能である。
【０１３２】
【発明の効果】
以上説明したように本発明によれば、両極の選択電圧をチャージポンプ回路やスイッチングレギュレータにより生成する従来の構成と比較すると、構成部品、特に、半導体基板への構成が困難であるために外付け部品として実装される蓄電素子やインダクタ等の部品が削減されるので、実装の簡略化や低コスト化などが図られる。
【図面の簡単な説明】
【図１】  本発明の第１実施形態に係る電源回路を含む電気光学装置の全体構成を示すブロック図である。
【図２】  同電気光学装置におけるパネル部分の構成を示す部分破断斜視図である。
【図３】  同電気光学装置における駆動波形の一例を示す波形図である。
【図４】  同電気光学装置における電源回路の構成を示すブロック図である。
【図５】  同電源回路における極性反転動作を説明するための図である。
【図６】  同電源回路において第１の態様に係る電圧生成回路の構成を示す回路図である。
【図７】  同電圧生成回路の動作を説明するためのタイミングチャートである。
【図８】  同電源回路において第２の態様に係る電圧生成回路の構成を示す回路図である。
【図９】  同電圧生成回路の動作を説明するためのタイミングチャートである。
【図１０】  （ａ）〜（ｃ）は、それぞれ電圧生成回路への基準電圧を生成するための構成の一例を示すブロック図である。
【図１１】  （ａ）および（ｂ）は、それぞれ同電源回路における反転回路の具体的な構成の一例を示す回路図である。
【図１２】  同電源回路における発振回路の構成を示す回路図である。
【図１３】  （ａ）および（ｂ）は、それぞれ同発振回路における源振回路の構成の一例を示すブロック図であり、（ｃ）は、その源振回路のインバータにおけて置換可能なＮＡＮＤ回路を示す図である。
【図１４】  同発振回路により生成される信号を説明するためのタイミングチャートである。
【図１５】  同電源回路の第１変形例を示すブロック図である。
【図１６】  同変形例における極性反転動作を示す図である。
【図１７】  同電源回路の第２変形例を示すブロック図である。
【図１８】  同変形例における極性反転動作を示す図である。
【図１９】  同電源回路の第３変形例を示すブロック図である。
【図２０】  同変形例における極性反転動作を示す図である。
【図２１】  同変形例において適用可能な電圧生成回路の構成を示す回路図である。
【図２２】  同変形例において適用可能な電圧生成回路の構成を示す回路図である。
【図２３】  同電源回路の第４変形例を示すブロック図である。
【図２４】  同変形例における極性反転動作を示す図である。
【図２５】  本発明の第２実施形態に係る電源回路を含む電気光学装置の全体構成を示すブロック図である。
【図２６】  同電気光学装置におけるパネル部分の構成を示す部分破断斜視図である。
【図２７】  同電気光学装置における駆動波形の一例を示す波形図である。
【図２８】  同電気光学装置において部分表示を説明するためのパネルの平面図である。
【図２９】  同電気光学装置において部分表示の際の信号波形を説明するための波形図である。
【図３０】  同電気光学装置における電源回路の構成を示すブロック図である。
【図３１】  同電源回路における発振回路の構成を示すブロック図である。
【図３２】  同電源回路の変形例を示すブロック図である。
【図３３】  本発明の第３実施形態に係る電源回路を含む電気光学装置の全体構成を示すブロック図である。
【図３４】  同電気光学装置における駆動波形の一例を示す波形図である。
【図３５】  同電気光学装置における電源回路の構成を示すブロック図である。
【図３６】  同電源回路の変形例を示すブロック図である。
【図３７】  実施形態に係る電気光学装置を適用した電子機器の概略構成を示すブロック図である。
【図３８】  同電気光学装置を適用した電子機器の一例たる携帯電話の構成を示す斜視図である。
【符号の説明】
１００……パネル
１１６……画素
１１８……液晶層
２００……基板
２１２、２１３……データ線（データ電極）
２２０……ＴＦＤ
２３４……画素電極
２５０……データ線駆動回路
３００……基板
３１２、３１３…走査線（走査電極）
３５０……走査線駆動回路
４００……電源回路
４１０……電源
４２０、４６０……電圧生成回路
４２６……トランジスタ
４２７……圧電トランス
４３０……反転回路
４４０……発振回路
４５０、４７０、４８０……降圧回路
１３００……携帯電話
Ｌ……インダクタ
Ｃｐ、Ｃｂ１、Ｃｂ２……コンデンサ
【図１】
0004701475.tif 000002
【図２】
0004701475.tif 000003
【図３】
0004701475.tif 000004
【図４】
0004701475.tif 000005
【図５】
0004701475.tif 000006
【図６】
0004701475.tif 000007
【図７】
0004701475.tif 000008
【図８】
0004701475.tif 000009
【図９】
0004701475.tif 000010
【図１０】
0004701475.tif 000011
【図１１】
0004701475.tif 000012
【図１２】
0004701475.tif 000013
【図１３】
0004701475.tif 000014
【図１４】
0004701475.tif 000015
【図１５】
0004701475.tif 000016
【図１６】
0004701475.tif 000017
【図１７】
0004701475.tif 000018
【図１８】
0004701475.tif 000019
【図１９】
0004701475.tif 000020
【図２０】
0004701475.tif 000021
【図２１】
0004701475.tif 000022
【図２２】
0004701475.tif 000023
【図２３】
0004701475.tif 000024
【図２４】
0004701475.tif 000025
【図２５】
0004701475.tif 000026
【図２６】
0004701475.tif 000027
【図２７】
0004701475.tif 000028
【図２８】
0004701475.tif 000029
【図２９】
0004701475.tif 000030
【図３０】
0004701475.tif 000031
【図３１】
0004701475.tif 000032
【図３２】
0004701475.tif 000033
【図３３】
0004701475.tif 000034
【図３４】
0004701475.tif 000035
【図３５】
0004701475.tif 000036
【図３６】
0004701475.tif 000037
【図３７】
0004701475.tif 000038
【図３８】
0004701475.tif 000039